(57)【特許請求の範囲】
【請求項１】
通信の方法であって、
アクセス端末がクローズド加入者グループのアクセスポイントへの接続を要求していることを示す第１のメッセージを受信することと、
前記アクセス端末が前記クローズド加入者グループのメンバーではないことを決定することと、
前記アクセス端末が前記クローズド加入者グループのメンバーではないことの前記決定の結果として、前記クローズド加入者グループにアクセスするために前記アクセス端末がプロビジョニングされる必要があるかどうかを決定することと、および
前記アクセス端末がプロビジョニングされる必要があるかどうかの前記決定に基づいて第２のメッセージを送信することと
を含む方法。
【請求項２】
前記第２のメッセージは、前記アクセス端末に送信され、前記クローズド加入者グループにアクセスするために前記アクセス端末がプロビジョニングされる必要があることを示す、請求項１に記載の方法。
【請求項３】
前記第２のメッセージは、前記アクセス端末をプロビジョニングするために使用されるユニフォーム・リソース・ロケーターを具備する、請求項２に記載の方法。
【請求項４】
前記第１のメッセージは、アタッチ要求を具備し、
前記第２のメッセージは、アタッチ承認を具備し、および
デフォルトベアラは、前記アタッチ承認の前記送信と共に前記アクセス端末をプロビジョニングするために設定される、請求項２に記載の方法。
【請求項５】
前記第１のメッセージは、追跡エリア更新要求メッセージを具備し、および
前記第２のメッセージは、追跡エリア更新承認メッセージまたは追跡エリア拒絶メッセージを具備する、請求項２に記載の方法。
【請求項６】
前記第２のメッセージは、ネットワークノードに送信され、および前記クローズド加入者グループにアクセスするために前記アクセス端末をプロビジョニングせよとの要求を具備する、請求項１に記載の方法。
【請求項７】
前記ネットワークノードは、パケットゲートウェイまたはプロビジョニング・エンティティを具備する、請求項６に記載の方法。
【請求項８】
前記アクセス端末がプロビジョニングされる必要があるかどうかの前記決定は、前記第１のメッセージを通して受信される表示に基づく、請求項１に記載の方法。
【請求項９】
前記受信された表示は、パケットデータネットワークタイプ、パケットデータネットワーク名、またはアクセスポイント名を具備する、請求項８に記載の方法。
【請求項１０】
前記アクセス端末がプロビジョニングされる必要かあるかどうかの前記決定は、アクセス端末プロファイルまたはネットワークプロファイルに基づく、請求項１に記載の方法。
【請求項１１】
前記アクセス端末がプロビジョニングされる必要があるかどうかの前記決定は、前記クローズド加入者グループが帯域内プロビジョニングを許可するかどうかに基づく、請求項１に記載の方法。
【請求項１２】
前記アクセス端末がプロビジョニングされる必要があるかどうかの前記決定は、前記アクセスポイントが帯域内プロビジョニングを許可するかどうかに基づく、請求項１に記載の方法。
【請求項１３】
前記クローズド加入者グループにアクセスするために前記アクセス端末がプロビジョニングされていることの表示を受信すること、および
前記表示の前記受信の結果として前記アクセス端末に第３のメッセージを送信すること、ここにおいて、前記第３のメッセージは、前記アクセス端末が、前記クローズド加入者グループにアクセスするためにプロビジョニングされていることを示す、
をさらに具備する、請求項１に記載の方法。
【請求項１４】
前記アクセス端末の前記プロビジョニングは、パケットデータネットワークへの接続を提供することまたは既存のパケットデータネットワーク接続上で前記アクセス端末のためのより高いレベルのサービス品質を提供することを伴う、請求項１に記載の方法。
【請求項１５】
前記アクセスポイントは、ホームeノードBを具備する、請求項１に記載の方法。
【請求項１６】
通信のための装置であって、
アクセス端末がクローズド加入者グループのアクセスポイントへの接続を要求していることを示す第１のメッセージを受信するように構成されている通信コントローラと、および
前記アクセス端末が前記クローズド加入者グループのメンバーではないことを決定するように構成され、および前記アクセス端末が前記クローズド加入者グループのメンバーではないことの前記決定の結果として、前記クローズド加入者グループにアクセスするために前記アクセス端末がプロビジョニングされる必要があるかどうかを決定するようにさらに構成されるプロビジョニング・コントローラと
を具備する装置であって、
前記通信コントローラは、前記アクセス端末がプロビジョニングされる必要があるかどうかの前記決定に基づいて第２のメッセージを送信するように構成される、装置。
【請求項１７】
前記第２のメッセージは、前記アクセス端末に送信され、および前記クローズド加入者グループにアクセスするために前記アクセス端末がプロビジョニングされる必要があることを示す、請求項１６に記載の装置。
【請求項１８】
前記第２のメッセージは、前記アクセス端末をプロビジョニングするために使用されるユニフォーム・リソース・ロケーターを具備する、請求項１７に記載の装置。
【請求項１９】
前記第２のメッセージは、ネットワークノードに送信され、および前記クローズド加入者グループにアクセスするために前記アクセス端末をプロビジョニングせよとの要求を具備する、請求項１６に記載の装置。
【請求項２０】
前記アクセス端末がプロビジョニングされる必要があるかどうかの前記決定は、前記第１のメッセージを通して受信される表示に基づき、および
前記受信された表示は、パケットデータネットワークタイプ、パケットデータネットワーク名、またはアクセスポイント名を具備する、請求項１６に記載の装置。
【請求項２１】
通信のための装置であって、
アクセス端末が、クローズド加入者グループのアクセスポイントへの接続を要求していることを示す第１のメッセージを受信するための手段と、
前記アクセス端末が前記クローズド加入者グループのメンバーではないことを決定するための手段と、
前記アクセス端末が前記クローズド加入者グループのメンバーではないことの前記決定の結果として、前記クローズド加入者グループにアクセスするために前記アクセス端末がプロビジョニングされる必要があるかどうかを決定するための手段と、および
前記アクセス端末がプロビジョニングされる必要があるかどうかの前記決定に基づいて第２のメッセージを送信するための手段と
を具備する装置。
【請求項２２】
前記第２のメッセージは、前記アクセス端末に送信され、および前記クローズド加入者グループにアクセスするために前記アクセス端末がプロビジョニングされる必要があることを示す、請求項２１に記載の装置。
【請求項２３】
前記第２のメッセージは、前記アクセス端末をプロビジョニングするために使用されるユニフォーム・リソース・ロケーターを具備する、請求項２２に記載の装置。
【請求項２４】
前記第２のメッセージは、ネットワークノードに送信され、および前記クローズド加入者グループにアクセスするために前記アクセス端末をプロビジョニングせよとの要求を具備する、請求項２１に記載の装置。
【請求項２５】
前記アクセス端末がプロビジョニングされる必要があるかどうかの前記決定は、前記第１のメッセージを通して受信される表示に基づき、および
前記受信された表示は、パケットデータネットワークタイプ、パケットデータネットワーク名、またはアクセスポイント名を具備する、請求項２１に記載の装置。
【請求項２６】
アクセス端末が、クローズド加入者グループのアクセスポイントへの接続を要求していることを示す第１のメッセージを受信することと、
前記アクセス端末が、前記クローズド加入者グループのメンバーではないことを決定することと、
前記アクセス端末が、前記クローズド加入者グループのメンバーではないことの前記決定の結果として、前記クローズド加入者グループにアクセスするために前記アクセス端末がプロビジョニングされる必要があるかどうかを決定することと、および
前記アクセス端末がプロビジョニングされる必要があるかどうかの前記決定に基づいて第２のメッセージを送信することと
をコンピュータにさせるためのコードを具備するプログラムを記録したコンピュータ可読記録媒体。
【請求項２７】
前記第２のメッセージは、前記アクセス端末に送信され、および前記クローズド加入者グループにアクセスするために前記アクセス端末がプロビジョニングされる必要があることを示す、請求項２６に記載のコンピュータ可読記録媒体。
【請求項２８】
前記第２のメッセージは、前記アクセス端末をプロビジョニングするために使用されるユニフォーム・リソース・ロケーターを具備する、請求項２７に記載のコンピュータ可読記録媒体。
【請求項２９】
前記第２のメッセージは、ネットワークノードへ送信され、および前記クローズド加入者グループにアクセスするために前記アクセス端末をプロビジョニングせよとの要求を具備する、請求項２６に記載のコンピュータ可読記録媒体。
【請求項３０】
前記アクセス端末がプロビジョニングされる必要があるかどうかの前記決定は、前記第１のメッセージを通して受信される表示に基づき、および
前記受信された表示は、パケットデータネットワークタイプ、パケットデータネットワーク名、またはアクセスポイント名を具備する、請求項２６に記載のコンピュータ可読記録媒体。
【発明の詳細な説明】
【関連出願の参照】
【０００１】
本特許出願は、２００８年１２月２３日に出願された共有の米国仮特許出願６１/１４０,５８２、代理人登録番号０９０７８０Ｐ１への利益および優先権を主張するものであって、その開示は参照によって本明細書の全体に組み込まれている。
【技術分野】
【０００２】
本出願は、一般に、無線通信に関係し、より詳細には、クローズド加入者グループにアクセスするためにアクセス端末をプロビジョニングすることに関係する。しかしながらこれに限るものではない。
【０００３】
序論
無線通信システムは、様々なタイプの通信（例えば、音声、データ、マルチメディアサービスなど）を複数のユーザに提供するために広く発展されている。高レートかつマルチメディアのデータサービスに関する要求が急速に増大すると、強化されたパフォーマンスによる効率的で頑強な通信システムを実装するための挑戦が待ち受けている。
【０００４】
従来のモバイル電話ネットワーク・アクセスポイントを補完するために、より頑強な屋内無線カバレッジをモバイル・アクセス端末へ提供するために小さいカバレッジのアクセスポイントが配備される（例えば、ユーザの住宅内で設置される）ことができる。そのような小さいカバレッジのアクセスポイントは、フェムトアクセスポイント、アクセスポイント基地局、ホームeノードB（HeNB）、ホームノードB（HNB）、またはホームフェムトと呼ばれてもよい。典型的に、そのような小さいカバレッジのアクセスポイントは、DSLルーターまたはケーブルモデムを通してインターネットおよびモバイルオペレータのネットワークに接続される。
【０００５】
いくつかのシナリオにおいて、小さいカバレッジのアクセスポイントは、アドホックの方法で配備されることができる。したがって、これらのアクセスポイントにアクセスすることに関連する問題があり得る。例えば、あるアクセス端末は、これらの小さいカバレッジのアクセスポイントのうちのいくつかにアクセスするために許可される必要があり得るのに対し、他のアクセス端末は、これらのアクセスポイントにアクセスすることを妨げられる必要があり得る。したがって、無線ネットワークのための改善されたアクセス管理の必要がある。
【発明の概要】
【０００６】
本開示の態様のサンプルの概要が以下に続く。本明細書における議論において、態様という用語に対するいかなる言及も、本開示の１つまたは複数の態様のことをいうことができる。
【０００７】
本開示は、いくつかの態様において、制限されたアクセスをともなうアクセスポイントにおける加入者の帯域内プロビジョニング(in-band provisioning)に関係する。例えば、クローズド加入者グループ（CSG）に属する従来のアクセスポイントは、CSGにアクセスするためにプロビジョニングされる加入者のみにアクセスを制限することができる。本明細書における教示にしたがって、帯域内プロビジョニングは、加入者がCSGを通して手動でそれら自身をプロビジョニングすることを許可するために採用されることができる。CSGでは、加入者は、そうしないとアクセスを許可されないだろう。例えば、加入者がCSGにおいてプロビジョニングをされることを可能にするために、加入者は、制限されたアクセスポイントによって一時的に承認され、限定されたアクセスが与えられることができる。このようにして、無線ネットワークオペレータは、加入者が（例えば、一度のアクセス料金を支払うと）あるCSGにおいてプロビジョニングをされることおよびこれらのCSGを通して１つまたは複数のサービスにアクセスすることを選択的に許可することができる。具体的な事例として、オペレータは、住宅向きのCSGではなく、ホテル、空港またはコーヒーショップのCSGのための帯域内プロビジョニングを許可することができる。
【図面の簡単な説明】
【０００８】
本開示のこれらおよび他の態様のサンプルは、以下の詳細な説明および添付の特許請求の範囲および付随の図面において説明される。
【図１】図１は、帯域内プロビジョニングを提供するように適合する通信システムの態様のいくつかのサンプルの簡略化さされたブロック図である。
【図２Ａ】図２Aは、帯域内プロビジョニングを提供するために実行されることができるオペレーションの態様のいくつかのサンプルのフローチャート図である。
【図２Ｂ】図２Bは、帯域内プロビジョニングを提供するために実行されることができるオペレーションの態様のいくつかのサンプルのフローチャート図である。
【図２Ｃ】図２Cは、帯域内プロビジョニングを提供するために実行されることができるオペレーションの態様のいくつかのサンプルのフローチャート図である。
【図３】図３は、帯域内プロビジョニングを提供するために実行されることができるオペレーションの態様のいくつかのサンプルを例示する簡略化されたコールフロー図である。
【図４】図４は、帯域内プロビジョニングを提供するために実行されることができるオペレーションの態様のいくつかのサンプルを例示する簡略化されたコールフロー図である。
【図５】図５は、通信ノードにおいて採用されることができるコンポーネントの態様のいくつかのサンプルの簡略化されたブロック図である。
【図６】図６は、無線通信システムの簡略化された図である。
【図７】図７は、フェムトノードを含む無線通信システムの簡略化された図である。
【図８】図８は、無線通信のためのカバレッジエリアを例示する簡略化された図である。
【図９】図９は、通信コンポーネントの態様のいくつかのサンプルの簡略化されたブロック図である。
【図１０】図１０は、本明細書において教示されるような帯域内プロビジョニングを提供するように構成されている装置の態様のいくつかのサンプルの簡略化されたブロック図である。
【図１１】図１１は、本明細書において教示されるような帯域内プロビジョニングを提供するように構成されている装置の態様のいくつかのサンプルの簡略化されたブロック図である。
【図１２】図１２は、本明細書において教示されるような帯域内プロビジョニングを提供するように構成されている装置の態様のいくつかのサンプルの簡略化されたブロック図である。
【図１３】図１３は、本明細書において教示されるような帯域内プロビジョニングを提供するように構成されている装置の態様のいくつかのサンプルの簡略化されたブロック図である。
【０００９】
一般的実務にしたがって、図面において例示される様々な特徴は、原寸に比例して図示されていないことがあり得る。したがって、様々な特徴の寸法は、明確さのために任意に拡張または縮小されることができる。加えて、いくつかの図面は、明確さのために簡略化されることができる。したがって、図面は、方法または所与の装置（例えば、デバイス）のコンポーネントのすべてを図示しなくてもよい。最後に、詳細な説明および図面の全体にわたって同様の特徴を示すために同様の参照数字が使用され得る。
【発明の詳細な説明】
【００１０】
本開示の様々な態様が以下で説明される。本明細書における技術は、広く様々な形式で具体化されることができ、本明細書において開示されている任意の特定の構成、機能、または両方は、単に代表例であることは、明白なことであるべきである。本明細書における技術に基づいて、当業者は、本明細書において開示される態様が他のどの態様にも独立して実装されることができ、およびこれらの態様のうちの２つ以上が様々な方法で組み合わされることができることを認識するべきである。例えば、装置は、本明細書において述べられる態様のいくつでも使用して実装されることができ、方法は、本明細書において述べられる態様のいくつでも使用して実施されることができる。加えて、そのような装置は、本明細書において述べられる態様のうちの１つまたは複数の態様に加えて、または当該１つまたは複数の態様以外に他の構成、機能性、または構成および機能性を使用して実装されることができ、またはそのような方法は、本明細書において述べられる態様のうちの１つまたは複数の態様に加えて、または当該１つまたは複数の態様以外に他の構成、機能性、または構成および機能性を使用して実施されることができる。さらに、態様は、特許請求の範囲の少なくとも１つの要素を具備することができる。
【００１１】
図１は、通信システム１００のサンプル（例えば、通信ネットワークの一部）のいくつかのノードを例示する。例示の目的のために、本開示の様々な態様は、互いに通信する１つまたは複数のアクセス端末、アクセスポイント、およびネットワークノードの文脈において説明される。しかしながら、本明細書における教示は、他の用語を使用して言及される他のタイプの装置または他の同様の装置に適用可能であり得ることは認識されるべきである。例えば、様々な実装において、アクセスポイントは、基地局、ノードB、またはeノードBと呼ばれるまたは実装されることができるのに対し、アクセス端末は、ユーザ装置またはモバイルなどと呼ばれるまたは実装されることができる。
【００１２】
システム１００におけるアクセスポイントは、システム１００のカバレッジエリア内で設置されることができる、またはシステム１００のカバレッジエリア全体にわたってロームすることができる１つまたは複数の無線端末（例えば、アクセス端末１０２）のための１つまたは複数のサービス（例えば、ネットワーク接続性）を提供する。例えば、様々な時点において、アクセス端末１０２は、システム１００におけるアクセスポイント１０４またはいくつかの他のアクセスポイント（図示されていない）に接続することができる。アクセスポイントの各々は、広域ネットワーク接続性を容易にするために１つまたは複数のネットワークノード（便宣上ネットワークノード１０６によって表される）と通信することができる。これらのネットワークノードは、例えば、１つまたは複数のラジオおよび/またはコア・ネットワークエンティティのような様々な形式をとることができる。したがって、様々な実装において、ネットワークノード１０６は、次のもののうちの少なくとも１つのような機能性を表すことができる：ネットワーク管理（例えば、オペレーション、管理、マネージメント、およびプロビジョニング・エンティティを通して）、コール・コントロール、セッション管理、モビリティ管理、ゲートウェイ機能、相互作用機能、またはいくつかの他の適切なネットワーク機能性。
【００１３】
システム１００の例示されたノードは、帯域内プロビジョニング（ユーザの自己プロビジョニングとも呼ばれる）を提供するように構成されていることによって、そうでない場合には制限されるアクセスポイントにアクセス端末がアクセスすることを可能にする。いくつかの態様において、帯域内プロビジョニングという用語は、アクセス端末がアクセスポイントと通信状態にある場合にアクセスポイントにアクセスするためにアクセス端末をプロビジョニングすることをいう。したがって、帯域内プロビジョニングは、アクセス端末がアクセスポイントと通信状態にない場合にアクセス端末がプロビジョニングされる帯域外プロビジョニングとは区別され得る。
【００１４】
いくつかの場合において、加入者は、無線セルセットと関連する制限されたアクセスポイントにおいてプロビジョニングされることを望み得る。一般に、無線セルセットは、１つまたは複数のセルのセットに特有の定義された関係がある１つまたは複数のセルのセット（例えば、少なくとも１つのアクセスポイント）を具備する。無線セルセットの事例は、CSGである。便宜上、以下の議論は、より一般的な用語である無線セルセットよりもむしろ単に用語CSGについて言及してもよい。しかしながら、説明されたコンセプトは、無線セルの他のタイプの定義されたセット若しくはグループまたは他の同様のエンティティに適用可能であり得ることが認識されるべきである。
【００１５】
以下でより詳細に説明されるように、アクセスポイント１０４は、アクセスポイント１０４が帯域内プロビジョニングをサポートすることの表示を広告する（例えば、ブロードキャストする）帯域内プロビジョニング広告コンポーネント１１０を含むことができる。この表示を受信すると、または他の方法でアクセスポイント１０４が帯域内プロビジョニングをサポートすることを決定すると、そうでない場合にはアクセスポイントにアクセスすることを許可されないアクセス端末（例えば、アクセス端末１０２）は、アクセスポイント１０４に接続するための要求を送信することができる。ここで、アクセス端末１０２は、帯域内プロビジョニング関係のオペレーションを実行するために帯域内プロビジョニング・コントロール・コンポーネント１１２を含む。アクセスポイント１１０がこの接続要求をネットワークに通知すると、ネットワークノード１０６（例えば、帯域内プロビジョニング・コントロール・コンポーネント１１４）は、アクセス端末１０２がアクセスポイント１０４におけるアクセスのためにプロビジョニングされることを可能にするためにプロビジョニング接続を確立することができる。
【００１６】
プロビジョニング接続は、アクセス端末１０２のための限定されたアクセスを提供する。詳細には、プロビジョニング接続は、プロビジョニング・エンティティにアクセスするためのみに使用されることができる限定されたインターネット・プロトコル接続性を具備する。いくつかの態様において、プロビジョニング接続は、アクセス端末が、クローズド加入者グループにアクセスするためにプロビジョニングされることを許可するインターネット・プロトコル・ネットワークへの接続性を確立することができる。例えば、パケットデータ・ネットワーク（PDN）接続は、パケットをフィルタし、プロビジョニングに関係するパケットがパスされることのみを許可し、および／またはパケットをプロビジョニング・エンティティにリダイレクトするノードに対して確立されることができる。リダイレクションの事例として、ノードは、Get要求によって要求されるウェブページに関係なく、特定のウェブページ（例えば、アクセス端末がそれ自身をプロビジョニングすることを許可するもの）にすべてのHTTP Get要求をリダイレクトすることができる。
【００１７】
プロビジョニング接続は、アクセス端末１０２とプロビジョニング・エンティティ１０８との間の点線１１６のペアによって図１において表されている。ここで、プロビジョニング接続は、アクセス端末１０２がコントロール信号を送信および受信することを可能にすることができる。加えて、プロビジョニング接続は、アクセス端末１０２が、他のエンドポイントはなく、プロビジョニング・エンティティ１０８（例えば、CSG管理機能またはウェブサーバ）へデータを送信することおよびプロビジョニング・エンティティ１０８からデータを受信することを可能にすることができる。
【００１８】
プロビジョニング接続がいったん確立されると、アクセス端末１０２は、プロビジョニング・エンティティ１０８に認証情報（例えば、パスワード、支払い情報など）を送信するよう促され得る。認証情報が確認されると、プロビジョニング・エンティティ１０８は、アクセスポイント１０４にアクセスするためにアクセス端末１０２をプロビジョニングすることができる。例えば、アクセス端末１０２に関する加入情報は、アクセス端末がアクセスポイント１０４と関連するCSGのメンバーであることを示すように修正されることができる。したがって、アクセス端末１０２は、その後、アクセスポイント１０４においてより大きなアクセス（例えば、フルアクセス）を許可されることができる。
【００１９】
上記のことを念頭におき、本明細書における教示にしたがって、制限されたアクセスポイントにおいて帯域内プロビジョニングを提供するために採用されることができるオペレーションおよびコンポーネントのサンプルが、図２A-４を参照して説明される。簡潔に、図２A-２Cは、帯域内プロビジョニングを提供するために採用されることができるオペレーションの概観を提供し、図３は、CSG管理機能を使用して帯域内プロビジョニングが提供されるコールフローのサンプルを例示し、および図４は、ウェブサーバを使用して帯域内プロビジョニングが提供されるコールフローのサンプルを例示する。
【００２０】
例示の目的のために、図２A-２Cのオペレーション（または本明細書において議論されたまたは教示された任意の他のオペレーション）は、特定のコンポーネント（例えば、図１および５において図示されているコンポーネント）によって実行されているように説明されることができる。しかしながら、これらのオペレーションは、他のタイプのコンポーネントによって実行されることができ、および異なる数のコンポーネントを使用して実行されることができることが認識されるべきである。本明細書において説明される１つまたは複数のオペレーションは、所与の実装において採用されなくてもよいことも認識されるべきである。
【００２１】
最初に図２Aを参照して、ブロック２０２および２０４は、CSGと関連するアクセスポイント（例えば、CSGのメンバーであるホームeノードB）が、帯域内プロビジョニングをサポートすることを広告するために実行することができるオプションのオペレーションに関係する。ここで、アクセスポイントは、セルへのアクセスが特定のアクセス端末に一般に制限されているクローズドセルであり得る。ブロック２０２によって表されるように、アクセスポイント（例えば、アクセスポイント１０４）は、それがプロビジョニング・アクセスをサポートするという表示を生成する。例えば、アクセスポイントは、アクセスポイントによってブロードキャストされるメッセージに含まれるシステム情報ブロック（SIB）において特別のビットを提供することができる。ブロック２０４によって表されるように、アクセスポイントは、無線で（例えば、定義された時間インターバルにおいて）この表示をブロードキャストする。
【００２２】
ブロック２０６によって表されるように、いくつかの時点において、アクセス端末のユーザは、アクセスポイントの手動選択（例えば、アクセスポイントのセルを手動で選択する）を実行することができる。例えば、ユーザは、手動選択モードを起動するためにアクセス端末のユーザ入力デバイスを使用することができる。ユーザは、例えば、所与のCSGによって固有に提供されるサービスを得るためにアクセスポイントを手動で選択することを望み得る。例えば、CSGは、顧客に無料カバレッジを提供するため、または費用ベースでカバレッジを提供するために第３者（例えば小売業者）によって配備されることができる。
【００２３】
手動選択モードを起動すると、アクセス端末は、利用可能なアクセスポイント（例えば、CSGを広告するセル）についてスキャンすることができる。例えば、アクセス端末は、近くのアクセスポイントからの信号についてモニタすることができ、これらのアクセスポイントのうちのいずれかが、アクセスポイントが特定のCSGと関連することを示す信号をブロードキャストしているかどうかを決定することができる。
【００２４】
１つまたは複数のアクセスポイントを識別すると、アクセス端末は、アクセス端末のディスプレイデバイス上に対応するリストをディスプレイすることができる。いくつかの態様において、このリストは、各々の識別されたアクセスポイントに対応する少なくとも１つの識別子を具備することができる。例えば、スキャニングの間に検出された各々のアクセスポイントについて、前記リストは、次のもののうちの１つまたは複数を具備することができる：アクセスポイントの識別子、関連するCSGの識別子、アクセスポイントのセルの識別子、またはアクセスポイントの無線ネットワーク（例えば、地上波公共モバイルネットワーク、PLMN）の識別子。
【００２５】
いくつかの実装において、ディスプレイされたリストはまた、アクセスポイント（またはCSGなど）が帯域内プロビジョニングをサポートすることの表示を含むことができる。例えば、アクセス端末は、利用可能なアクセスポイントについてスキャニングする場合にブロック２０４においてブロードキャストされた表示を受信することができる。この表示を受信すると、アクセス端末は、前記リスト内の他の情報と一緒に帯域内プロビジョニングのためのこのサポートの視覚的な表示をディスプレイすることができる。
【００２６】
アクセスポイントによる帯域内プロビジョニングのためのサポートをユーザに通知するために他の技術が採用されることができる。例えば、この情報は、受領（ユーザが購入する際）、広告用材料、ウェブページ、またはアクセスポイントの近傍において（例えば小売業者の店において）掲示されたサインを通してユーザに利用可能にされることができる。そのような場合において、ユーザはまた、以下で説明されるように、アクセスポイントにおけるアクセスのために（例えば、フルアクセスを得るために）プロビジョニングされるためにユーザが使用することができるプロビジョニング認証情報（例えば、ユーザ情報、パスワードのようなパスコードなど）を提供されることができる。
【００２７】
これらのシナリオのうちのいずれかにおいて、ユーザは、ディスプレイされたリストからアイテムを選択するためにアクセス端末の入力デバイスを使用することができる。このようにして、アクセス端末は、ユーザ入力デバイスからの表示に基づいて帯域内プロビジョニングをサポートするアクセスポイント（例えば、CSG）を選択することができる。
【００２８】
ブロック２０８によって表されるように、アクセスポイントの手動選択の結果として、アクセス端末は、アクセスポイントにおける接続を要求するためにアクセスポイントにメッセージを送信する。そのようなメッセージは、様々な形式をとってもよい。例えば、メッセージは、追跡エリア更新（TAU）要求またはアタッチ要求(attach request)のような非アクセス層（NAS）メッセージを具備してもよく、またはいくつかの他の適切なメッセージを具備してもよい。ここで、TAU要求は、例えば、アクセス端末がアクセスポイント（例えば、CSGセル）にアクセスしようとした場合に、アクセス端末が（例えば、マクロアクセスポイントを通して）既に登録されていたら採用されることができる。アタッチ要求は、例えば、アクセス端末が既に未登録状態であったら採用されることができる。
【００２９】
いくつかの実装において、アクセス端末によって送信されるメッセージは、アクセス端末がアクセスポイントにおけるプロビジョニング・アクセスを要求していることを明示的にまたは暗黙に示すことができる。例えば、プロビジョニングが要求されている表示は、メッセージに含まれるプロビジョニング要求表示（例えば、定義されたコード）、メッセージにおける特定のアクセスポイント名（APN）の表示、あるタイプのパケットデータ・ネットワーク（PDN）に関する要求、または特定のパケットデータネットワークに関する要求を具備することができる。２つの後の事例において、PDNタイプの表示および/またはPDN名の表示は、メッセージに含まれることができる。特定の事例として、アクセス端末は、アクセス端末がプロビジョニングを要求している表示（例えば特定のAPN）を含むアタッチ要求を送信することができる。以下で議論されるように、このメッセージに応答して、ネットワークは、プロビジョニング接続を確立することができる。
【００３０】
ブロック２１０によって表されるように、接続要求を受信すると、アクセスポイントは、メッセージをネットワークへ送信する。例えば、アクセスポイントは、NASメッセージをモビリティ管理エンティティ（MME）のようなネットワークノードへ送信することができる。このメッセージは、例えば、アクセス端末がアクセスポイントにおける接続を要求していることの表示、アクセス端末がプロビジョニングされる必要があること（例えば、ブロック２０８におけるように）の表示、またはいくつかの他の情報を具備することができる。そのようなメッセージはまた、様々な形式をとることができる。例えば、メッセージは、追跡エリア更新（TAU）要求、アタッチ要求、またはいくつかの他の適切なメッセージを具備することができる。
【００３１】
いくつかの実装において、ネットワークは、アクセス端末がプロビジョニングされる必要があるかどうかを決定することができる。例えば、アクセス端末は、アクセス端末が当該アクセスにアクセスすることを現在許可されていない場合、および帯域内プロビジョニングがアクセスポイントおよび/またはCSGによって許可（例えば、サポート）されている場合、アクセスのためにプロビジョニングされる必要があり得る。
【００３２】
したがって、図２Bのブロック２１２によって表されるように、ネットワーク（例えば、MME）は、アクセス端末がCSGのメンバーであるかどうかを決定する。そうである場合、アクセスは、許可され得る。
【００３３】
代替的に、ブロック２１４によって表されるように、アクセス端末がCSGのメンバーではない場合、ネットワークは、アクセス端末がプロビジョニングされる必要がある（例えば、プロビジョニングされることを許可される）かどうかを決定する。例えば、MMEは、ブロック２１０において受信されたメッセージに基づいて、アクセス端末コンテキストに基づいて、ネットワークコンテキストに基づいて、CSGが帯域内プロビジョニングを許可するかどうかに基づいて、アクセスポイントが帯域内プロビジョニングを許可するかどうかに基づいて、またはこれらまたは他の要因のいくつかの組み合わせに基づいてプロビジョニングが要求されるかどうかを決定することができる。第１の要因の事例として、MMEは、受信メッセージに含まれる明示のプロビジョニング要求に基づいて、受信メッセージによって示されるAPNに基づいて、受信メッセージによって示されるPDNタイプに基づいて、または受信メッセージに含まれるPDN名に基づいてアクセス端末がプロビジョニングされる必要があることを決定することができる。
【００３４】
ブロック２１６によって表されるように、いくつかの実装において、ネットワーク（例えば、PDNゲートウェイ（PGW）またはプロビジョニング・エンティティ）は、この時点においてプロビジョニング接続を確立することを開始することができる。例えば、MMEは、PGWおよび/またはプロビジョニング・エンティティにメッセージを送信することができ、それによって、メッセージは、プロビジョニングがアクセス端末に必要であることを示す。このメッセージに応じて、ネットワークは、アクセス端末からプロビジョニング・エンティティへのプロビジョニング接続を確立することができる。以下で議論される図４は、プロビジョニング接続の確立がこの時点において開始することができる事例を説明する。
【００３５】
ブロック２１８によって表されるように、ネットワーク（例えば、MME）は、プロビジョニングされるためにアクセス端末があるアクションをとる必要があることを示すメッセージをアクセス端末へ送信する。例えば、このメッセージは、アクセス端末がプロビジョニング認証オペレーションを開始する必要があることを示すことができる。図３において以下で議論されるように、このメッセージは、例えば、TAU拒絶メッセージ、TAU承認メッセージ、アタッチ承認メッセージ、またはいくつかの他の適切なメッセージを具備することができる。
【００３６】
プロビジョニング認証オペレーションは、様々な形式をとることができる。いくつかの場合において、アクセス端末は、ユーザが適切な認証情報（例えば、パスワード）を入力することを可能にするために特定のウェブページ（例えば、プロビジョニング・エンティティによりサーブされるウェブページ）にアクセスするよう命令され得る。ここで、ウェブページに関するユニフォーム・リソース・ロケーター（URL）は、ブロック２１８において送信されるメッセージに含まれることができる。いくつかの場合において、ネットワークは、適切なウェブページまたはサーバにユーザを自動的に向ける。ここで他の認証手順が採用されることができることが認識されるべきである。認証手順のサンプルが図３および４と共に以下でより詳細に説明される。
【００３７】
ブロック２２０によって表されるように、プロビジョニング認証オペレーションと共に、アクセス端末は、認証手順を開始するために１つまたは複数のメッセージをネットワークに送信する。いくつかの態様において、このメッセージは、アクセス端末がアクセスポイントにアクセスすることを許可されている（例えば、CSGにアクセスすることを許可されている）ことを示すことができる。アクセス端末は、例えば、プロビジョニング接続またはアプリケーションレベル接続を通してこのメッセージをプロビジョニング・エンティティに送信することができる。図４において以下で説明されるように、いくつかの実装において、プロビジョニング接続は、アクセス端末から受信されるメッセージを、プロビジョニング機能を提供するウェブサーバにリダイレクトするPGWを伴う。
【００３８】
いくつかの実装において、ネットワークは、この時点において（例えば、アクセス端末からのメッセージを受信すると）プロビジョニング接続を確立することを開始することができる。以下で説明される図３は、プロビジョニング接続の確立がこの時点において開始することができる事例を説明する。
【００３９】
図２Cのブロック２２２によって表されるように、いくつかの実装において、プロビジョニング・オペレーションは、アクセス端末が特定の期間（例えば、プロビジョニング接続が確立された後の定義された期間）内にプロビジョニングされなかったら終了されることができる。例えば、ネットワーク（例えば、PGW）においてタイマーが採用されることができおよび/またはアクセス端末においてタイマーが採用されることができ、それによって、ネットワークおよび/またはアクセス端末は、アクセス端末がアクセスポイント（例えば、CSG）にアクセスするためにプロビジョニングされる前にタイマーが満期になったらプロビジョニング接続を取り除く（例えば、終了する）ことができる。
【００４０】
ブロック２２４によって表されるように、アクセス端末が適切な認証情報をプロビジョニング・エンティティに提供したら（または、ある他の方法でプロビジョニング要件を満たす）、プロビジョニング・エンティティは、アクセスポイント（例えば、CSG）にアクセスするためにアクセス端末をプロビジョニングする。ここで、アクセス端末は、より大きなアクセス（例えば、アクセスポイントへのフルアクセス）を提供され得る。例えば、いくつかの場合において、ネットワークは、アクセスポイントを通して１つまたは複数のPDNへアクセス端末がアクセスする（例えば、PDNへの接続を提供する）ことを可能にすることができる。さらに、いくつかの場合において、ネットワークは、所与のPDN（例えば、アクセス端末が、限定されたアクセスを以前に認可された既存のPDN）上でアクセス端末のためのサービスの品質のより高いレベルを提供することができる。
【００４１】
ブロック２２６によって表されるように、ネットワークは、アクセスポイント（例えば、CSG）にアクセスするために成功的にプロビジョニングされていることをアクセス端末に通知するためのメッセージをアクセス端末に送信する。例えば、プロビジョニング・エンティティまたはいくつかの他のネットワークノードは、アクセス端末がプロビジョニングされていることを示すメッセージをMMEに送信することができ、その後MMEが対応するメッセージをアクセス端末に送信する。
【００４２】
ブロック２２８によって表されるように、アクセス端末は、次に、リストに、プロビジョニングされたアクセスポイントを追加（例えば、CSG IDを追加）するためにそれのアクセスリスト（例えば、ホワイトリスト、許可されたCSGリスト、またはいくつかの他の適切なアクセスリスト）を更新することができる。アクセス端末は、その後、新しいプロビジョニングにしたがってアクセスポイントにアクセスすることができる。
【００４３】
上記のことを念頭において、帯域内プロビジョニングと共に採用されることができるコールフローのサンプルが図３および４を参照してこれから説明される。図３は、帯域内プロビジョニング機能がCSG管理機能（例えば、CSG運営サーバによって実行されるような）を具備する実装におけるコールフローのサンプルを説明する。図４は、帯域内プロビジョニング機能がインターネットタイプ機能（例えば、ウェブサーバによって実行されるような）を具備する実装におけるコールフローの事例を説明する。
【００４４】
例示の目的のために、図３および４の事例は、LTEに基づいている実装を説明する。したがって、図面は、ユーザ装置（UE）、ホームeノードB（HeNB）、MME、PGW、およびホーム加入者サーバ（HSS）のようなコンポーネントを図示する。しかしながら、本明細書において教示されるコンセプトは、他の実装（例えば、UMTSベースのシステムなど）に適用可能であってもよいことが認識されるべきである。
【００４５】
図３を最初に参照して、ステップ１において、ユーザは、手動のCSG選択手順を使用してHeNB（またはホームノードB）を手動で選択する。上で議論されたように、セルは、帯域内プロビジョニングをサポートすることを無線で示すことができる。ステップ２において、UEは、要求メッセージ（例えば、TAU要求、アタッチ要求）を送信することによって接続または他の同様の手順（例えば、TAU手順、アタッチ手順など）を開始する。ステップ３において、eノードBは、要求メッセージをMMEへ転送する。ステップ４において、UEに関する許可されたCSGリストが、UEがアクセスしようと試みているH(e)NBのCSG IDを含まない場合、MMEは、新しく定義されたコード「プロビジョニングが必要(Provisioning Required)」とともに応答メッセージ（例えば、TAU拒絶、TAU承認、アタッチ承認など）を送信する。いくつかの場合において、応答メッセージは、この時点ではそれのアクセスリスト（例えば、ホワイトリストまたは許可されたCSGリスト）を更新しないようUEに命令する表示を含むことができる。ステップ５において、応答メッセージにおける「プロビジョニングが必要」とのコードに応じて、UEは、帯域内プロビジョニング・アプリケーション手順を実行するようユーザに促す。
【００４６】
帯域内プロビジョニング機能は、様々な形式をとることができる。例えば、応答メッセージは、ＵＥが選択するための、CSG管理機能（例えば、CSG管理サーバ）に行くURLを含むことができ、およびユーザは、それ自身をプロビジョニングするためにCSG所有者と同様の手順を使用することができる。ウェブページが、パスワード、請求情報（例えば、クレジットカード情報）などのようなユーザからの任意のタイプの情報を要求することができるので、ウェブブラウザのようなアプリケーションは、多くの異なるビジネスモデルを実装するための柔軟性を提供することができる。
【００４７】
ステップ６において、帯域内プロビジョニング認証手順が実行される。例えば、アプリケーションレイヤのソリューション（例えば、ユーザ・プレーン・ファンクション）が帯域内プロビジョニングを実行するために定義される実装において、MMEは、必要なベアラ（例えば、デフォルトベアラ）をUEが設定することを許可することができ、およびユーザは、UEをCSGに追加するために任意の必要な情報をエンターする。代替的に、下位レイヤの機能性（例えば、NASシグナリングのようなコントロール・プレーン・ファンクション）は、いくつかの実装において、UEとCSG管理機能との間で認証メッセージを送信するために採用されることができる。
【００４８】
ベアラは、異なる実装での手順において、異なる時点において設定されることができる。例えば、ステップ３における要求がアタッチ要求である場合、ベアラ（例えば、デフォルトベアラ）は、ステップ４においてアタッチ承認を送信することと共に設定されることができる。したがって、いくつかの態様において、ステップ４および/またはステップ６は、本明細書において議論されるようにプロビジョニング接続を確立することに関係し得る。
【００４９】
加えて、UEをCSG管理機能に向けるために様々な技術が採用されることができる。例えば、いくつかの実装において、ステップ６は、リダイレクション機能を伴うことができ、それによって、UEからのメッセージは、メッセージに含まれることができる任意の特定のURLを問わずまたはメッセージがURLを含むかどうかを問わず指定の目的地（例えば、CSG管理機能のURL）に送信される。
【００５０】
ステップ７において、ユーザがいったん認められると、CSG管理機能は、（例えば、HeNBのためのCSGの識別子を含めるために）ユーザの許可されたCSGリストを更新するためにＨＳＳと通信する。ステップ８において、HSSは、ユーザの加入情報が正確に更新されていることを確認する。ステップ９において、HSSは、挿入加入者データ(Insert Subscriber Data)（IMSI、加入データ）メッセージをMMEに送信する。ステップ１０において、すべてのチェックが成功する場合、MMEは、UEに関するコンテキストを構築し、挿入加入者データAckメッセージをHSSへ返す。ステップ１１において、MMEは、UEがCSG上で成功的にプロビジョニングされていることを確認するための承認メッセージ（例えば、TAU承認、アタッチ承認）を送信する。加えて、適用可能な場合（例えば、フル接続性がUEに提供される場合）、UEに関するすべての他のベアラが設定される。UEは、その後、承認メッセージに応じてCSGセルのCSG IDを、許可されたCSGリストに追加し、HeNBを通じてUEに現在利用可能である追加されたサービスにアクセスすることに進む。
【００５１】
上記の方法の可能性のある利点は、CSGセルがアクセスされる場合に、帯域内プロビジョニング・プロセスを完了するためにさらに何が必要であるかに関してUEがユーザに知らせることができることである。したがって、ユーザは、彼または彼女がブラウザを開いて、URLを選択する必要があるかどうかを事前に知る必要がない。他の可能性のある利点は、プロセスを単純化するために（例えば、ワンクリック請求の使用を通して）使用されることができるホームPLMNとの請求関係をユーザが既に有することである。さらなる可能性のある利点は、プロビジョニング・アプリケーションが、ウェブブラウジング能力のないアクセス端末（例えば、ハンドセット）上で実装されることができることである。
【００５２】
これから図４を参照して、ステップ１において、ユーザは、HeNB（またはホーム・ノードB）を手動で選択し、他の予備的な動作を実行する。例えば、図４においてステップ１によって表される動作は、図３においてステップ１-５の動作のうちのいくつかまたはすべてに対応することができる。
【００５３】
図４におけるステップ２において、UEは、MMEによって認められること、およびデフォルトPGWにデフォルトベアラを確立することを含む接続を設定することを許可される。しかしながら、PGWを通してUEによって送信されることが許可されるデータトラフィックはない。ステップ３において、ユーザは、HTTP要求メッセージ（例えば、要求URLによって識別される任意のウェブページへのGETメソッド）を送信するウェブブラウザにおけるリンクを選択する。ステップ４において、HTTP GETは、CSGにおいて帯域内プロビジョニングをホストしているPGWの後ろのウェブサーバにリダイレクトされる。したがって、いくつかの態様において、ステップ２-４は、本明細書において議論されるようにプロビジョニング接続を確立することに関係する。
【００５４】
ステップ５において、帯域内プロビジョニングをホストしているウェブサーバは、HTTP応答（例えば、パスワード情報、確認、請求情報などを入力するようユーザに促すことを含むHTTP PAGEメソッド（ステップ６））を返す。例えば、コーヒーショップで購入をする場合に、ユーザに１時間以内の間のフリーアクセスを許可するパスワードがレシートに印刷され得る。応答は、請求情報を入力せよとの要求を含むことができ、または当該請求は、ユーザのホームPLMNを通してユーザの加入をチャージすることによって実行されることができる。
【００５５】
ステップ７において、PAGEに対する応答は、例えば、ユーザが入力した任意の情報を含むHTTP POSTメソッドを通してウェブサーバに転送される。ステップ８において、ウェブサーバは、応答のコンテンツを認証し、および例えば当該応答に基づいて任意の請求を開始する。ステップ９において、ウェブサーバは、そのユーザの加入に関するPGWを通って送信されることとなる他のデータトラフィックを可能にする。
【００５６】
図５は、本明細書において教示されたようなプロビジョニング・オペレーションを実行するためにアクセス端末５０２、アクセスポイント５０４、ネットワークノード５０６（例えば、MME）、およびネットワークノード５０８（例えば、PGW）のようなノードに組み入れられることができるコンポーネントのいくつかのサンプルを例示する。一般に、図５のノードは、図１のアクセス端末１０２、アクセスポイント１０４、およびネットワークノード１０６に対応することができる。説明されたコンポーネントはまた、通信システムにおいて他のノードに組み込まれることができる。例えば、システムにおける他のノードは、同様の機能性を提供するためにノード５０２、５０４、５０６、および５０８について説明されたものに類似のコンポーネントを含むことができる。所与のノードは、１つまたは複数の説明されたコンポーネントを含み得る。例えば、アクセス端末は、アクセス端末が複数の周波数上で動作するおよび/または異なる技術によって通信することを可能にする複数のトランシーバ・コンポーネントを含むことができる。
【００５７】
図５において図示されるように、アクセス端末５０２およびアクセスポイント５０４は、他のノードと通信するためにトランシーバ５１０および５１２をそれぞれ含むことができる。トランシーバ５１０は、信号（例えば、メッセージまたは表示）を送信するための送信機５１４および信号を受信するための受信機５１６を含む。同様に、トランシーバ５１２は、信号を送信するための送信機５１８および信号を受信するための受信機５２０を含む。
【００５８】
アクセスポイント５０４、ネットワークノード５０６、およびネットワークノード５０８はまた、互いにまたは他のネットワークノードと通信するためにネットワーク・インターフェース５２２、５２４、および５２６をそれぞれ含む。例えば、ネットワーク・インターフェース５２２、５２４、および５２６は、有線のまたは無線のバックホールを通して１つまたは複数のネットワークノードと通信するように構成されていてもよい。
【００５９】
ノード５０２、５０４、５０６、および５０８はまた、本明細書において教示されるようなプロビジョニング・オペレーションと共に使用されることができる他のコンポーネントを含む。例えば、ノード５０２、５０４、５０６、および５０８は、他のノードとの通信（例えば、メッセージ、要求、表示、認証情報、または応答を送信することおよび受信することのうちの１つまたは複数）を管理するため、および本明細書において教示されたような他の関係する機能性を提供するための通信コントローラ５２８、５３０、５３２、および５３４をそれぞれ含む。加えて、ノード５０２、５０４、５０６、および５０８は、帯域内プロビジョニングをサポートするため、および本明細書において教示されるような他の関係する機能性（例えば、アクセス端末がプロビジョニングされる必要があるかどうかを決定すること、プロビジョニング接続を確立するおよび終了すること、アクセス端末をプロビジョニングすること、アクセス端末がCSGのメンバーであるかどうかを決定すること、プロビジョニング・メッセージを送信するおよび受信すること、プロビジョニング認証情報を転送すること、CSGリストを更新すること、またはプロビジョニング表示を生成することのうちの１つまたは複数）を提供するためのプロビジョニング・コントローラ５３６、５３８、５４０、および５４２をそれぞれ含む。これらのプロビジョニングコントローラは、図１において説明されたプロビジョニング・コンポーネントに対応する。最後に、アクセス端末５０２は、本明細書において議論されるように入力デバイス５４４およびディスプレイデバイス５４６を含む。
【００６０】
便宜上、図５において、ノードは、本明細書において説明された様々な事例で使用されることができるコンポーネントを含むように図示されている。実際には、１つまたは複数の例示されたコンポーネントは、異なる実装において異なる方法で実装されることができる。事例として、ノードは、図４の実装と比較すると図３の実装において異なる機能性を有するおよび/または異なる方法で動作する（例えば、異なる方法でアクセス端末をプロビジョニングする）ことができる。さらに、いくつかの実装において、例示されているネットワークノード５０６および５０８は、単一のエンティティで実装されることができる。そのような場合において、単一のコンポーネント（例えば、ネットワーク・インターフェース）は、複数の例示されたコンポーネントの機能性を提供することができる。
【００６１】
いくつかの実装において、図５のコンポーネントは、（例えば、データメモリを使用および/または組み込む）１つまたは複数のプロセッサにおいて実装されることができる。例えば、ブロック５２８および５３６の機能性は、アクセス端末の単一のプロセッサまたは複数のプロセッサによって実装されることができ、ブロック５３０および５３８の機能性は、アクセスポイントの単一のプロセッサまたは複数のプロセッサによって実装されることができ、ブロック５３２および５４０の機能性は、ネットワークノードにおいて単一のプロセッサまたは複数のプロセッサによって実装されることができ、およびブロック５３４および５４２の機能性は、ネットワークノードにおいて単一のプロセッサまたは複数のプロセッサによって実装されることができる。
【００６２】
本明細書における教示は、マクロスケールのカバレッジ（例えば、典型的にマクロセルネットワークまたはWANと呼ばれる３Gネットワークのような大きなエリアのセルラネットワーク）およびより小さいスケールのカバレッジ（例えば、典型的にLANと呼ばれる住宅ベースまたは建物ベースのネットワーク環境）を含む環境において採用されることができる。アクセス端末（AT）は、そのような環境にわたって移動するので、アクセス端末は、マクロカバレッジを提供するアクセスポイントによってある位置においてサービス提供されることができ、その一方でアクセス端末は、より小さいスケールのカバレッジを提供するアクセスポイントによって他の位置においてサービス提供されることができる。いくつかの態様において、より小さいカバレッジのノードは、（例えば、より頑強なユーザ経験のための）付加的な(incremental)容量の増大、建物内のカバレッジ、および異なるサービスを提供するために使用されることができる。
【００６３】
比較的大きいエリアにわたってカバレッジを提供するノード（例えば、アクセスポイント）は、マクロアクセスポイントと呼ばれてもよいのに対し、比較的小さいエリア（例えば、住宅）にわたってカバレッジを提供するノードは、フェムトアクセスポイント（例えば、HNBまたはHeNB）と呼ばれてもよい。本明細書における教示は、他のタイプのカバレッジエリアと関連するノードに適用可能であってもよいことが認識されるべきである。例えば、ピコアクセスポイントは、マクロエリアよりも小さいエリアおよびフェムトエリアよりも大きいエリアにわたってカバレッジ（例えば、商業用ビル内のカバレッジ）を提供することができる。様々なアプリケーションにおいて、マクロアクセスポイント、フェムトアクセスポイント、または他のアクセスポイントタイプのノードを参照するために他の用語が使用されてもよい。例えば、マクロアクセスポイントは、アクセスノード、基地局、アクセスポイント、eノードB、マクロセルなどとして構成されることができるか、またはそのように呼ばれることができる。さらに、フェムトアクセスポイントは、ホームノードB、ホームeノードB、アクセスポイント基地局、フェムトセルなどとして構成されることができるか、またはそのように呼ばれることができる。いくつかの実装において、ノードは、１つまたは複数のセルまたはセクタと関連される（例えば、それらに分割される）ことができる。マクロアクセスポイント、フェムトアクセスポイント、またはピコアクセスポイントと関連するセルまたはセクタは、マクロセル、フェムトセル、またはピコセルとそれぞれ呼ばれることができる。
【００６４】
図６は、本明細書における教示が実装されることができる、複数のユーザをサポートするように構成される無線通信システム６００を例示する。システム６００は、各々のセルが対応するアクセスポイント６０４（例えば、アクセスポイント６０４A-６０４G）によってサービスされる、例えば、マクロセル６０２A-６０２Gのような複数のセル６０２のための通信を提供する。図６において図示されるように、アクセス端末６０６（例えば、アクセス端末６０６A-６０６L）は、経時的にシステム全体にわたって様々な位置において分散されることができる。各々のアクセス端末６０６は、例えば、アクセス端末６０６がアクティブであるかどうかおよびソフトハンドオフ状態にあるかどうかに依拠して所与の時において順方向リンク（FL）および/または逆方向リンク（RL）上で１つまたは複数のアクセスポイント６０４と通信することができる。無線通信システム６００は、大きい地理的領域にわたってサービスを提供することができる。例えば、マクロセル６０２A-６０２Gは、近隣において数ブロックまたは田舎の環境において数マイルをカバーすることができる。
【００６５】
図７は、１つまたは複数のフェムトアクセスポイントがネットワーク環境内で配備される通信システム７００の事例を例示する。詳細には、システム７００は、比較的小さいスケールのネットワーク環境において（例えば、１つまたは複数のユーザの住宅７３０において）インストールされた複数のフェムトアクセスポイント７１０（例えば、フェムトアクセスポイント７１０Aおよび７１０B）を含む。各々のフェムトアクセスポイント７１０は、DSLルーター、ケーブルモデム、無線リンク、または他の接続性手段（図示されていない）を通して広域ネットワーク７４０（例えば、インターネット）およびモバイルオペレータ・コアネットワーク７５０へ結合されることができる。以下で議論されるように、各々のフェムトアクセスポイント７１０は、関連するアクセス端末７２０（例えば、アクセス端末７２０A）および選択的に、他の（例えば、ハイブリッドまたは外部の）アクセス端末７２０（例えば、アクセス端末７２０B）にサービス提供するように構成されていてもよい。言い換えると、フェムトアクセスポイント７１０へのアクセスは、制限され得る。それによって、所与のアクセス端末７２０は、１セットの指定された（例えば、ホーム）フェムトアクセスポイント７１０によってサービス提供されることができるが、任意の非指定のフェムトアクセスポイント７１０（例えば、近隣のフェムトアクセスポイント７１０）によってサービス提供されることができない。
【００６６】
図８は、いくつかの追跡エリア８０２（またはルーティングエリアまたは位置エリア）が定義され、それらの各々がいくつかのマクロカバレッジエリア８０４を含むカバレッジマップ８００の事例を例示する。ここで、追跡エリア８０２A、８０２B、および８０２Cと関連するカバレッジエリアは、太い線によって描かれており、マクロカバレッジエリア８０４は、大きい６角形によって表されている。追跡エリア８０２はまた、フェムトカバレッジエリア８０６を含む。この事例において、フェムトカバレッジエリア８０６の各々（例えば、フェムトカバレッジエリア８０６Bおよび８０６C）は、１つまたは複数のマクロカバレッジエリア８０４（例えば、マクロカバレッジエリア８０４Aおよび８０４B）内に図示されている。しかしながら、フェムトカバレッジエリア８０６のうちのいくつかまたはすべてがマクロカバレッジエリア８０４内に位置しなくてもよいことが認識されるべきである。実際に、フェムトカバレッジエリア８０６の多く（例えば、フェムトカバレッジエリア８０６Aおよび８０６D）は、所与の追跡エリア８０２またはマクロカバレッジエリア８０４内に定義されてもよい。さらに、１つまたは複数のピコカバレッジエリア（図示されていない）は、所与の追跡エリア８０２またはマクロカバレッジエリア８０４内に定義されてもよい。
【００６７】
図７を再び参照して、フェムトアクセスポイント７１０の所有者は、例えば、モバイルオペレータ・コアネットワーク７５０によって提供される３Gモバイルサービスのようなモバイルサービスに加入することができる。加えて、アクセス端末７２０は、マクロ環境とより小さいスケール（例えば、住居）のネットワーク環境との両方において動作することができてもよい。言い換えると、アクセス端末７２０の現在の位置に依拠して、アクセス端末７２０は、モバイルオペレータ・コアネットワーク７５０と関連するマクロセルアクセスポイント７６０によって、または１セットのフェムトアクセスポイント７１０（例えば、対応するユーザ住居７３０内に存在するフェムトアクセスポイント７１０Aおよび７１０B）のうちの任意の１つによってサービス提供されることができる。例えば、加入者が彼の家の外にいる場合、彼は、標準のマクロアクセスポイント（例えば、アクセスポイント７６０）によってサービス提供され、加入者が家にいる場合、彼は、フェムトアクセスポイント（例えば、アクセスポイント７１０A）によってサービス提供される。ここで、フェムトアクセスポイント７１０は、レガシーアクセス端末７２０と後方互換性があってもよい。
【００６８】
フェムトアクセスポイント７１０は、単一の周波数上で、または代替的に、複数の周波数上で配備されることができる。特定の構成に依拠して、単一の周波数または複数の周波数のうちの１つまたは複数は、マクロアクセスポイント（例えば、アクセスポイント７６０）によって使用される１つまたは複数の周波数とオーバーラップすることができる。
【００６９】
いくつかの態様において、アクセス端末７２０は、そのような接続性が可能なときはいつでも好ましいフェムトアクセスポイント（例えば、アクセス端末７２０のホームフェムトアクセスポイント）に接続するよう構成されていてもよい。例えば、アクセス端末７２０Aがユーザの住居７３０内にあるときはいつでも、アクセス端末７２０Aがホームフェムトアクセスポイント７１０Aまたは７１０Bのみと通信することを望まれ得る。
【００７０】
いくつかの態様において、アクセス端末７２０がマクロセルラー・ネットワーク７５０内で動作するが、それの最も好ましいネットワーク（例えば、好ましいローミングリストにおいて定義されるようなネットワーク）上に存在しない場合、アクセス端末７２０は、より良いシステム再選択(better system reselection)（BSR）（これは、より良いシステムが現在利用可能であるかどうかを決定するために利用可能なシステムの周期的なスキャニングを伴うことができる）およびそのような好ましいシステムと関連しようとその後努めることを使用して最も好ましいネットワーク（例えば、好ましいフェムトアクセスポイント７１０）を探索し続けることができる。獲得エントリーにより、アクセス端末７２０は、特定の帯域およびチャネルの探索を限定することができる。例えば、１つまたは複数のフェムトチャネルが定義されることができる。それによって、領域内のすべてのフェムトアクセスポイント（またはすべての制限されたフェムトアクセスポイント）は、フェムトチャネル上で動作する。最も好ましいシステムの探索は、周期的に繰り返されてもよい。好ましいフェムトアクセスポイント７１０を発見すると、アクセス端末７２０は、それのカバレッジエリア内で留まるためにフェムトアクセスポイント７１０を選択する。
【００７１】
フェムトアクセスポイントは、いくつかの態様において制限されていてもよい。例えば、所与のフェムトアクセスポイントは、あるアクセス端末へあるサービスを提供するのみであってもよい。いわゆる制限された（またはクローズドの）関連性をともなう配備において、所与のアクセス端末は、マクロセル・モバイルネットワークおよび定義された１セットのフェムトアクセスポイント（例えば、対応するユーザ住宅７３０内に存在するフェムトアクセスポイント７１０）によってのみサービス提供されることができる。いくつかの実装において、ノードは、少なくとも１つのノードに関して、シグナリング、データアクセス、登録、ページング、またはサービスのうちの少なくとも１つを提供しないよう制限されてもよい。
【００７２】
いくつかの態様において、制限されたフェムトアクセスポイント（クローズド加入者グループ・ホーム・ノードBとも呼ばれてもよい）は、アクセス端末の制限されたプロビジョニングされたセットに対してサービスを提供するものである。このセットは、必要なときに一時的にまたは持続的に拡張されることができる。いくつかの態様において、クローズド加入者グループは、無線ネットワーク（例えば、PLMN）の１つまたは複数のセルにアクセスすることを許可されているが、制限されたアクセスを有するオペレータの加入者を識別する。いくつかの態様において、クローズド加入者グループは、アクセス端末の共通のアクセスコントロール・リストを共有する１セットのアクセスポイント（例えば、フェムトアクセスポイント）として定義されることができる。
【００７３】
したがって、所与のフェムトアクセスポイントと所与のアクセス端末との間に様々な関係が存在し得る。例えば、アクセス端末の観点から、オープン・フェムトアクセスポイントは、制限された関連性(association)のない（例えば、フェムトアクセスポイントが任意のアクセス端末へのアクセスを許可する）フェムトアクセスポイントのことをいってもよい。制限されたフェムトアクセスポイントは、ある方法で制限される（例えば、関連性および/または登録に関して制限される）フェムトアクセスポイントのことをいってもよい。ホームフェムトアクセスポイントは、アクセス端末がアクセスすることおよび動作することを許可されている（例えば、１つまたは複数のアクセス端末の定義されたセットについて持続的なアクセスが提供される）フェムトアクセスポイントのことをいってもよい。ハイブリッド（または、ゲスト）フェムトアクセスポイントは、アクセス端末がアクセスすることまたは動作することが一時的に許可されているフェムトアクセスポイントのことをいってもよい。外部のフェムトアクセスポイントは、アクセス端末が、おそらく緊急事態（例えば、９１１呼び出し）を除いて、アクセスすることまたは動作することが許可されないフェムトアクセスポイントのことをいってもよい。
【００７４】
制限されたフェムトアクセスポイントの観点から、ホームアクセス端末は、制限されたフェムトアクセスポイントにアクセスすることが許可されているアクセス端末（例えば、アクセス端末は、フェムトアクセスポイントへの持続的なアクセスを有する）のことをいってもよい。ゲストアクセス端末は、制限されたフェムトアクセスポイント（例えば、期限、使用時間、バイト、接続回数、またはある他の１つまたは複数の基準に基づいて限定される）への一時的なアクセスをともなうアクセス端末のことをいう。外部のアクセス端末は、例えば、９１１呼び出しのようなおそらく緊急状況を除いて、制限されたフェムトアクセスポイントにアクセスする許可がないアクセス端末（例えば、制限されたフェムトアクセスポイントに登録するための身分証明(credential)または許可がないアクセス端末）のことをいってもよい。
【００７５】
便宜上、本明細書における開示は、フェムトアクセスポイントの文脈において様々な機能性を説明する。しかしながら、ピコアクセスポイントは、より大きいカバレッジエリアに関して同じまたは同様の機能性を提供することができることは認識されるべきである。例えば、ピコアクセスポイントは、制限されていてもよく、ホームピコアクセスポイントは、所与のアクセス端末に関して定義されていてもよいなどである。
【００７６】
本明細書における教示は、複数の無線アクセス端末のための通信を同時にサポートする無線多元接続通信システムにおいて採用されることができる。ここで、各々の端末は、順方向リンクおよび逆方向リンク上の送信を通して１つまたは複数のアクセスポイントと通信することができる。順方向リンク（またはダウンリンク）は、アクセスポイントから端末までの通信リンクのことをいい、逆方向リンク（またはアップリンク）は、端末からアクセスポイントまでの通信リンクのことをいう。この通信リンクは、単一入力単一出力システム、多入力多出力（MIMO）システム、またはいくつかの他のタイプのシステムによって確立されることができる。
【００７７】
MIMOシステムは、データ送信のための複数（NT）の送信アンテナおよび複数（NR）の受信アンテナを採用する。NT個の送信アンテナおよびNR個の受信アンテナによって形成されるMIMOチャネルは、NS個の独立チャネルに分解されることができる。これらはまた、空間チャネルと呼ばれる。なお、NS ≦ min{NT, NR}である。NS個の独立のチャネルの各々は、１次元に対応する。複数の送信アンテナおよび受信アンテナによって作られる追加の次元が利用される場合、MIMOシステムは、改善されたパフォーマンス（例えば、より高いスループットおよび/またはより大きな信頼性）を提供することができる。
【００７８】
MIMOシステムは、時分割複信（TDD）および周波数分割複信（FDD）をサポートすることができる。TDDシステムにおいて、順方向および逆方向リンク送信は、同じ周波数領域上にあるので、相関(reciprocity)原則は、逆方向リンクチャネルからの順方向リンクチャネルの推定を可能にする。これは、複数のアンテナがアクセスポイントにおいて利用可能であるとき、アクセスポイントが、順方向リンク上で送信ビームフォーミング利得を抽出することを可能にする。
【００７９】
図９は、サンプルMIMOシステム９００の無線デバイス９１０（例えば、アクセスポイント）および無線デバイス９５０（例えば、アクセス端末）を例示する。デバイス９１０において、複数のデータストリームに関するトラフィックデータは、データソース９１２から送信（TX）データプロセッサ９１４へ提供される。各々のデータストリームは、その後、それぞれの送信アンテナ上で送信されることができる。
【００８０】
TXデータプロセッサ９１４は、符号化されたデータを提供するためにそのデータストリームのために選択された特定の符号化方式に基づいて各々のデータストリームのためのトラフィックデータをフォーマット、符号化、およびインターリーブする。各々のデータストリームのための符号化されたデータは、OFDM技術を使用してパイロットデータと多重化されることができる。パイロットデータは、典型的に、既知の方法で処理され、チャネル応答を推定するために受信機システムにおいて使用されることができる既知のデータパターンである。各々のデータストリームのための多重化されたパイロットおよび符号化されたデータは、その後、変調シンボルを提供するためにそのデータストリームのために選択される特定の変調方式（例えば、BPSK、QSPK、M-PSK、またはM-QAM）に基づいて変調される（つまり、シンボルマップされる）。各々のデータストリームのためのデータレート、コーディング、および変調は、プロセッサ９３０によって実行される命令によって決定されることができる。データメモリ９３２は、プロセッサ９３０またはデバイス９１０の他のコンポーネントによって使用されるプログラムコード、データ、および他の情報を記録することができる。
【００８１】
すべてのデータストリームのための変調シンボルは、その後、TX MIMOプロセッサ９２０に提供される。それは、変調シンボル（例えば、OFDMのための）をさらに処理することができる。TX MIMOプロセッサ９２０は、その後、NT個のトランシーバ（XCVR）９２２Aないし９２２TへNT個の変調シンボルストリームを提供する。いくつかの態様において、TX MIMOプロセッサ９２０は、データストリームのシンボルへおよびシンボルが送信されているところのアンテナへビームフォーミング重み付けを適用する。
【００８２】
各々のトランシーバ９２２は、１つまたは複数のアナログ信号を提供するためにそれぞれのシンボルストリームを受信および処理し、MIMOチャネルにわたる送信に適切な変調信号を提供するためにアナログ信号をさらに調整する（例えば、増幅し、フィルタし、およびアップコンバートする）。トランシーバ９２２Aないし９２２TからのNT個の変調信号は、その後、NT個のアンテナ９２４Aないし９２４Tからそれぞれ送信される。
【００８３】
デバイス９５０において、送信された変調信号は、NR個のアンテナ９５２Aないし９５２Rによって受信され、各々のアンテナ９５２からの受信信号は、それぞれのトランシーバ（XCVR）９５４Aないし９５４Rへ提供される。各々のトランシーバ９５４は、それぞれの受信信号を調整し（例えば、フィルタし、増幅し、およびダウンコンバートし）、サンプルを提供するために当該調整された信号をデジタル化し、および対応する「受信」シンボルストリームを提供するためにサンプルをさらに処理する。
【００８４】
受信（RX）データプロセッサ９６０は、その後、NT個の「検出された」シンボルストリームを提供するために特定の受信機処理技術に基づいてNR個のトランシーバ９５４からNR個の受信シンボルストリームを受信および処理する。RXデータプロセッサ９６０は、その後、データストリームのためのトラフィックデータを回復するために各々の検出されたシンボルストリームを復調、デインターリーブ、および復号する。RXデータプロセッサ９６０による処理は、デバイス９１０においてTX MIMOプロセッサ９２０およびTXデータプロセッサ９１４によって実行されるものに対して相補的である。
【００８５】
プロセッサ９７０は、どの事前コーディング・マトリクスを使用するかを周期的に決定する（以下で議論される）。プロセッサ９７０は、マトリクス・インデックス部分およびランク値部分を具備する逆方向リンクメッセージを形成する。データメモリ９７２は、プロセッサ９７０またはデバイス９５０の他のコンポーネントによって使用されるプログラムコード、データ、および他の情報を記録することができる。
【００８６】
逆方向リンクメッセージは、通信リンクおよび/または受信データストリームに関する様々なタイプの情報を具備することができる。逆方向リンクメッセージは、その後、TXデータプロセッサ９３８によって処理され（それはまた、データソース９３６からの複数のデータストリームに関するトラフィックデータを受信する）、変調器９８０によって変調され、トランシーバ９５４Aないし９５４Rによって調整され、およびデバイス９１０へ送信し戻される。
【００８７】
デバイス９１０において、デバイス９５０からの変調信号は、デバイス９５０によって送信された逆方向リンクメッセージを抽出するために、アンテナ９２４によって受信され、トランシーバ９２２によって調整され、復調器（DEMOD）９４０によって復調され、およびRXデータプロセッサ９４２によって処理される。プロセッサ９３０は、その後、ビームフォーミング重み付けを決定するためにどの事前コーディング・マトリクスを使用するかを決定し、抽出されたメッセージを処理する。
【００８８】
図９はまた、通信コンポーネントが、本明細書において教示されたようなプロビジョニング・コントロール・オペレーションを実行する１つまたは複数のコンポーネントを含むことができることを例示する。例えば、プロビジョニング・コントロール・コンポーネント９９０は、本明細書において教示されたような帯域内プロビジョニングを提供するためにプロセッサ９３０および/またはデバイス９１０の他のコンポーネントと協働することができる。同様に、プロビジョニング・コントロール・コンポーネント９２２は、帯域内プロビジョニングを提供するためにプロセッサ９７０および/またはデバイス９５０の他のコンポーネントと協働することができる。各々のデバイス９１０および９５０の場合、説明されたコンポーネントの２つ以上の機能性は、単一のコンポーネントによって提供されることができる。例えば、単一の処理コンポーネントは、プロビジョニング・コントロール・コンポーネント９９０およびプロセッサ９３０の機能性を提供することができ、単一の処理コンポーネントは、プロビジョニング・コントロール・コンポーネント９９２およびプロセッサ９７０の機能性を提供することができる。
【００８９】
本明細書における教示は、様々なタイプの通信システムおよび/またはシステムコンポーネントに組み込まれることができる。いくつかの態様において、本明細書における教示は、利用可能なシステムリソースを共有することによって（例えば、１つまたは複数の帯域幅、送信電力、コーディング、インターリービングなどを特定することによって）複数のユーザとの通信をサポートすることができる多元接続システムにおいて採用されることができる。例えば、本明細書における技術は、以下の技術のいずれか１つまたは組み合わせで適用されてもよい：符号分割多元接続（CDMA）システム、複数搬送波CDMA（MCCDMA）、広帯域CDMA（W-CDMA）、高速パケット接続（HSPA、HSPA+）システム、時分割多元接続（TDMA）システム、周波数分割多元接続（FDMA）システム、単一搬送波FDMA（SC-FDMA）システム、直交周波数分割多元接続（OFDMA）システム、または他の多元接続技術。本明細書における技術を採用する無線通信システムは、IS-９５、cdma２０００、IS-８５６、W-CDMA、TDSCDMA、および他の規格のような１つまたは複数の規格を実装するように指定されていてもよい。CDMAネットワークは、ユニバーサル・テレストリアル無線アクセス（UTRA）、cdma２０００、またはいくつかの他の技術のような無線技術を実装することができる。UTRAは、W-CDMAおよび低チップレート（LCR）を含む。cdma２０００技術は、IS-２０００、IS-９５、およびIS-８５６規格をカバーする。TDMAネットワークは、モバイル通信のためのグローバルシステム（GSM）（登録商標）のような無線技術を実装することができる。OFDMAネットワークは、発展したUTRA (E-UTRA)、IEEE ８０２.１１、IEEE ８０２.１６、IEEE ８０２.２０、フラッシュOFDM(登録商標)などのような無線技術を実装することができる。UTRA、E-UTRA、およびGSMは、ユニバーサル・モバイル電気通信システム（UMTS）の一部である。本件明細書における技術は、３GPP長期的発展（LTE）システム、ウルトラ・モバイル・ブロードバンド（UMB）システム、および他のタイプのシステムにおいて実装されることができる。LTEは、E-UTRAを使用するUMTSの新版である。UTRA、E-UTRA、GSM、UMTSおよびLTEは、「第３世代パートナーシップ・プロジェクト」（３GPP）という名称の組織からの文献において説明されているのに対し、cdma２０００は、「第３世代パートナーシップ・プロジェクト２」（３GPP２）という名称の組織からの文献において説明されている。本開示のある態様は、３GPPの用語を使用して説明されているが、本明細書における技術が３GPP（例えば、Re１９９、Re１５、Re１６、Re１７）技術、および３GPP２（例えば、１xRTT、１xEV-DO RelO、RevA、RevB）技術および他の技術に適用されることができることが理解されるべきである。
【００９０】
本明細書における教示は、様々な装置（例えば、ノード）に組み込まれる（例えば、様々な装置内で実装されるまたは様々な装置によって実行される）ことができる。いくつかの態様において、本明細書における教示にしたがって実装されるノード（例えば、無線ノード）は、アクセスポイントまたはアクセス端末を具備することができる。
【００９１】
例えば、アクセス端末は、ユーザ装置、加入者局、加入者ユニット、モバイル局、モバイル、モバイルノード、遠隔局、遠隔端末、ユーザ端末、ユーザエージェント、ユーザデバイス、またはいくつかの他の用語を具備することができ、それらとして実装されることができ、またはそれらとして知られていてもよい。いくつかの実装において、アクセス端末は、セルラ電話、コードレス電話、セッション・イニシエーション・プロトコル（SIP）電話、無線ローカルループ（WLL）局、携帯情報端末（PDA）、無線接続能力を有するハンドヘルドデバイス、または無線モデムに接続されているいくつかの他の適切な処理デバイスを具備することができる。したがって、本明細書において教示された１つまたは複数の態様は、電話（例えば、セルラフォンまたはスマートフォン）、コンピュータ（例えば、ラップトップ）、ポータブル通信デバイス、ポータブル計算デバイス（例えば、携帯情報端末）、エンターテイメントデバイス（例えば、音楽デバイス、ビデオデバイス、または衛星ラジオ）、全地球測位システムデバイス、または無線媒体を通して通信するように構成されている任意の他の適切なデバイスに組み込まれてもよい。
【００９２】
アクセスポイントは、ノードB、eノードB、無線ネットワーク・コントローラ（RNC）、基地局（BS）、無線基地局（RBS）、基地局コントローラ（BSC）、基地トランシーバ局（BTS）、トランシーバ機能（TF）、無線トランシーバ、無線ルーター、基本サービスセット（BSS）、拡張サービスセット（ESS）、マクロセル、マクロノード、ホームeNB（HeNB）、フェムトセル、フェムトノード、ピコノード、またはいくつかの他の同様の技術を具備することができ、それらとして実装されることができ、またはそれらとして知られていてもよい。
【００９３】
いくつかの態様において、ノード（例えば、アクセスポイント）は、通信システムのためのアクセスノードを具備することができる。そのようなアクセスノードは、例えば、ネットワークへの有線のまたは無線通信リンクを通してネットワーク（例えば、インターネットまたはセルラネットワークのような広域ネットワーク）に関するまたは当該ネットワークへの接続性を提供することができる。したがって、アクセスノードは、ネットワークまたはいくつかの他の機能性にアクセスするために他のノード（例えば、アクセス端末）を可能にすることができる。加えて、ノードの１つまたは両方は、ポータブルであってもよく、または場合によっては比較的非ポータブルであってもよいことが認識されるべきである。
【００９４】
さらに、無線ノードは、非無線方法で（例えば、有線接続を通して）情報を送信および/または受信することができてもよい。したがって、本明細書において開示されるような受信機および送信機は、非無線媒体を通して通信するために適切な通信インターフェース・コンポーネント（例えば、電気のまたは光のインターフェース・コンポーネント）を含むことができる。
【００９５】
無線ノードは、任意の適切な無線通信技術に基づくまたはそうでなければ任意の適切な無線通信技術をサポートする１つまたは複数の無線通信リンクを通して通信することができる。例えば、いくつかの態様において、無線ノードは、ネットワークと関連することができる。いくつかの態様において、ネットワークは、ローカルエリアネットワークまたは広域ネットワークを具備することができる。無線デバイスは、本明細書において開示されたもの（例えば、CDMA、TDMA、OFDM、OFDMA、WiMAX、Wi-Fiなど）のような様々な無線通信技術、プロトコル、または規格のうちの１つまたは複数をサポートまたはそうでなければ使用することができる。同様に、無線ノードは、様々な対応する変調または多重化方式のうちの１つまたは複数をサポートまたはそうでなければ使用することができる。したがって、無線ノードは、上記のまたは他の無線通信技術を使用する１つまたは複数の無線通信リンクを通して確立および通信するために適切なコンポーネント（例えば、無線インターフェース）を含むことができる。例えば、無線ノードは、無線媒体上の通信を容易にする様々なコンポーネント（例えば、信号生成器および信号プロセッサ）を含むことができる関連する送信機および受信機コンポーネントを備える無線トランシーバを具備することができる。
【００９６】
本明細書において説明された機能性（例えば、１つまたは複数の付随の図面に関して）は、いくつかの態様において、添付の特許請求の範囲において同様に指定された機能性「のための手段」に対応することができる。図１０、１１、１２、および１３を参照して、装置１０００、１１００、１２００、および１２００は、一連の相互関係のある機能性モジュールとして表される。ここで、アクセス端末接続要求メッセージ受信モジュール１００２は、いくつかの態様において、例えば、本明細書において議論されたような通信コントローラに少なくとも対応することができる。CSGメンバー決定モジュール１００４は、いくつかの態様において、例えば、本明細書において議論されたようなプロビジョニング・コントローラに少なくとも対応することができる。アクセス端末プロビジョニング決定モジュール１００６は、いくつかの態様において、例えば、本明細書において議論されたようなプロビジョニング・コントローラに少なくとも対応することができる。メッセージ送信モジュール１００８は、いくつかの態様において、例えば、本明細書において議論されたような通信コントローラに少なくとも対応することができる。表示受信モジュール１０１０は、いくつかの態様において、例えば、本明細書において議論されたような通信コントローラに少なくとも対応することができる。アクセス端末プロビジョニング済みメッセージ送信モジュール１０１２は、いくつかの態様において、例えば、本明細書において議論されたようなプロビジョニング・コントローラに少なくとも対応することができる。アクセス端末プロビジョニング済みメッセージ受信モジュール１１０２は、いくつかの態様において、例えば、本明細書において議論されたような通信コントローラに少なくとも対応することができる。プロビジョニング接続確立モジュール１１０４は、いくつかの態様において、例えば、本明細書において議論されたようなプロビジョニング・コントローラに少なくとも対応することができる。プロビジョニング認証情報転送モジュール１１０６は、いくつかの態様において、例えば、本明細書において議論されたようなプロビジョニング・コントローラに少なくとも対応することができる。プロビジョニング接続終了モジュール１１０８は、いくつかの態様において、例えば、本明細書において議論されたようなプロビジョニング・コントローラに少なくとも対応することができる。接続要求メッセージ送信モジュール１２０２は、いくつかの態様において、例えば、本明細書において議論されたような通信コントローラに少なくとも対応することができる。応答受信モジュール１２０４は、いくつかの態様において、例えば、本明細書において議論されたような通信コントローラに少なくとも対応することができる。アクセス端末許可メッセージ送信モジュール１２０６は、いくつかの態様において、例えば、本明細書において議論されたようなプロビジョニング・コントローラに少なくとも対応することができる。プロビジョニング接続終了モジュール１２０８は、いくつかの態様において、例えば、本明細書において議論されたようなプロビジョニング・コントローラに少なくとも対応することができる。アクセス端末プロビジョニング済み応答受信モジュール１２１０は、いくつかの態様において、例えば、本明細書において議論されたような通信コントローラに少なくとも対応することができる。CSGリスト更新モジュール１２１２は、いくつかの態様において、例えば、本明細書において議論されたようなプロビジョニング・コントローラに少なくとも対応することができる。ブロードキャスト表示受信モジュール１２１４は、いくつかの態様において、例えば、本明細書において議論されたような通信コントローラに少なくとも対応することができる。プロビジョニング表示生成モジュール１３０２は、いくつかの態様において、例えば、本明細書において議論されたようなプロビジョニング・コントローラに少なくとも対応することができる。表示ブロードキャストモジュール１３０４は、いくつかの態様において、例えば、本明細書において議論されたような送信機に少なくとも対応することができる。プロビジョニング・アクセス要求受信モジュール１３０６は、いくつかの態様において、例えば、本明細書において議論されたような通信コントローラに少なくとも対応することができる。CSGプロビジョニング・メッセージ送信モジュール１３０８は、いくつかの態様において、例えば、本明細書において議論されたようなプロビジョニング・コントローラに少なくとも対応することができる。
【００９７】
図１０-１３のモジュールの機能性は、本明細書における教示と一致する様々な方法で実装されることができる。いくつかの態様において、これらのモジュールの機能性は、１つまたは複数の電気的コンポーネントとして実装されることができる。いくつかの態様において、これらのブロックの機能性は、１つまたは複数のプロセッサコンポーネントを含む処理システムとして実装されることができる。いくつかの態様において、これらのモジュールの機能性は、例えば、１つまたは複数の集積回路（例えば、ASIC）の少なくとも一部を使用して実装されることができる。本明細書において議論されるように、集積回路は、プロセッサ、ソフトウェア、他の関連するコンポーネント、またはこれらのもののいくつかの組み合わせを含むことができる。これらのモジュールの機能性はまた、本明細書において教示されるようにいくつかの他の方法で実装されることができる。いくつかの態様において、図１０-１３における１つまたは複数の任意の点線のブロックは、選択的である。
【００９８】
本明細書における「第１」「第２」などのような指定を使用するエレメントは、一般に、これらのエレメントの量または順番を制限するものではないことが理解されるべきである。むしろ、これらの指定は、本明細書において２つ以上のエレメントまたはエレメントの事例の間で区別する便利な方法として使用されてもよい。したがって、第１および第２のエレメントへの言及は、２つのエレメントのみが採用され得ることまたはある方法において第１のエレメントが第２のエレメントに先行しなければならないことを意味しない。さらに、明確に述べられない限り、１セットのエレメントは、１つまたは複数のエレメントを具備することができる。加えて、発明の詳細な説明または特許請求の範囲において使用される「A、B、またはCのうちの少なくとも１つ」の形式の用語は、「AまたはBまたはCまたはこれらのエレメントの任意の組み合わせ」を意味する。
【００９９】
当業者であれば、情報および信号は、様々な異なる技術および技法を使用して表されることができることを理解するだろう。例えば、上記の説明の全体にわたって参照されることができるデータ、命令、コマンド、情報、信号、ビット、シンボル、およびチップは、電圧、電流、電磁波、磁場または磁粒子、光波動場または光粒子、またはこれらのものの任意の組み合わせによって表されることができる。
【０１００】
当業者はさらに、本明細書において開示された態様と関連して説明された様々な例示的論理ブロック、モジュール、プロセッサ、手段、回路、およびアルゴリズムステップのどれもが、電子的ハードウェア（例えば、デジタル実装、アナログ実装、またはソース・コーディングまたはいくつかの他の技術を使用して設計されることができる当該２つの組み合わせ）、命令を含むプログラムまたは設計コード（本明細書において、便宣のため「ソフトウェア」または「ソフトウェアモジュール」と呼ばれる）、またはこれらの組み合わせとして実装されることができることを認識するだろう。ハードウェアとソフトウェアのこの互換性を明白に例示するために、様々な実例となるコンポーネント、ブロック、モジュール、回路およびステップは、上記でそれらの機能性の点から一般に説明された。そのような機能性がハードウェアまたはソフトウェアとして実装されるかどうかは、特定のアプリケーションおよび全体的なシステムに課される設計の制約に依拠する。当業者は、各々の特定のアプリケーションに関して様々な方法で、説明された機能性を実装することができるが、そのような実装の決定は、本開示の範囲からの逸脱を引き起こすものとして解釈されるべきではない。
【０１０１】
本明細書において開示された態様と関連する様々な例示的論理ブロック、モジュール、および回路は、集積回路（IC）、アクセス端末、またはアクセスポイントで実装されるまたはこれらによって実行されることができる。ICは、汎用目的プロセッサ、デジタル信号プロセッサ（DSP）、特定用途集積回路（ASIC）、フィールドプログラマブルゲートアレイ（FPGA）または他のプログラマブル論理デバイス、離散ゲートまたはトランジスタ論理、離散ハードウェア・コンポーネント、電子的コンポーネント、光学的コンポーネント、メカニカルコンポーネント、またはこれらのものの任意の組み合わせであって、IC内に、ICの外部に、またはその両方に存在するコードまたは命令を実行することができる。汎用目的プロセッサは、マイクロプロセッサであってもよいが、その代わりに、任意の従来のプロセッサ、コントローラ、マイクロコントローラ、または状態機械であってもよい。プロセッサはまた、コンピュータ計算デバイスの組み合わせ（例えば、DSPとマイクロプロセッサとの組み合わせ、複数のマイクロプロセッサ、DSPコアと結合した１つまたは複数のマイクロプロセッサ、または任意の他のそのような構成）として実装されることもできる。
【０１０２】
任意の開示されたプロセスにおけるステップの任意の特定の順番または階層がサンプルアプローチの事例であることが理解される。設計の選好に基づいて、本開示の範囲内にありつつ表されるステップの特定の順番または階層が並べ替えられることができることが理解される。付随の方法クレームは、サンプルの順番で様々なステップのエレメントを表し、特定の順番または表示された階層に限定されるよう意図していない。
【０１０３】
１つまたは複数の典型的な設計において、説明された機能は、ハードウェア、ソフトウェア、ファームウェア、またはそれらのものの任意の組み合わせにおいて実装されることができる。ソフトウェアにおいて実装される場合、当該機能は、１つまたは複数の命令またはコードとしてコンピュータ可読媒体上に記録されるまたはコンピュータ可読媒体上で送信されることができる。コンピュータ可読媒体は、ある場所から他の場所へのコンピュータ・プログラムの転送を容易にする任意の媒体を含むコンピュータ記録媒体および通信媒体の両方を含む。記録媒体は、コンピュータによってアクセスされることができる任意の利用可能な媒体であってもよい。事例として、かつ非制限的列挙として、コンピュータ可読媒体は、RAM、ROM、EEPROM、CD-ROMまたは他の光ディスク記録装置、磁気ディスク記録装置または他の磁気記録デバイス、もしくは、任意の他の媒体であって、命令またはデータ構成の形式において所望のプログラムコードを伝達または記憶するために使用可能で、かつコンピュータによってアクセス可能な媒体を具備することができる。さらに、いずれの接続もコンピュータ可読媒体と適切に称されてもよい。例えば、もしソフトウェアがウェブサイト、サーバ、または他の遠くの情報源から、同軸ケーブル、光ファイバケーブル、ツイストペアケーブル、デジタル加入者線(DSL)または無線技術（例えば、赤外線、無線およびマイクロ波など）を使用して送信されるのであれば、そうした同軸ケーブル、光ファイバケーブル、ツイストペアケーブル、DSLまたは無線技術（例えば、赤外線、無線およびマイクロ波など)もまた、送信媒体の定義に含まれる。本明細書において使用されるように、ディスク（disk and disc）は、コンパクトディスク（CD）、レーザーディスク（登録商標）、光ディスク、デジタルバーサタイルディスク(DVD)、フロッピー（登録商標）ディスクおよびブルーレイ(登録商標)ディスクを含む。ここで、diskは、通常、データを磁気的に再生するものをいい、discは、レーザを用いてデータを光学的に再生するものをいう。上記のものの組み合わせはまた、コンピュータ可読媒体の範囲内に含まれるべきである。コンピュータ可読媒体は、任意の適切なコンピュータプログラムプロダクトで実装されることができるこ
とが認識されるべきである。
【０１０４】
本開示の以前の説明は、当業者の誰もが本開示を作るまたは使用することができるように提供される。これらの態様に対する様々な修正は、当業者に直ちに明確となり、本明細書において定義された一般原則は、本開示の範囲から逸脱することなく他の態様に適用されることができる。したがって、本開示は、本明細書において図示された態様に限定されるよう意図されないが、本明細書において開示された原則および新規の特徴と一致する最も広い範囲を与えられる。
以下に、本願出願の当初の特許請求の範囲に記載された発明を付記する。
［Ｃ１］
通信の方法であって、
アクセス端末がクローズド加入者グループのアクセスポイントへの接続を要求していることを示す第１のメッセージを受信することと、
前記アクセス端末が前記クローズド加入者グループのメンバーではないことを決定することと、
前記アクセス端末が前記クローズド加入者グループのメンバーではないことの前記決定の結果として、前記クローズド加入者グループにアクセスするために前記アクセス端末がプロビジョニングされる必要があるかどうかを決定することと、および
前記アクセス端末がプロビジョニングされる必要があるかどうかの前記決定に基づいて第２のメッセージを送信することと
を含む方法。
［Ｃ２］
前記第２のメッセージは、前記アクセス端末に送信され、前記クローズド加入者グループにアクセスするために前記アクセス端末がプロビジョニングされる必要があることを示す、Ｃ１に記載の方法。
［Ｃ３］
前記第２のメッセージは、前記アクセス端末をプロビジョニングするために使用されるユニフォーム・リソース・ロケーターを具備する、Ｃ２に記載の方法。
［Ｃ４］
前記第１のメッセージは、アタッチ要求を具備し、
前記第２のメッセージは、アタッチ承認を具備し、および
デフォルトベアラは、前記アタッチ承認の前記送信と共に前記アクセス端末をプロビジョニングするために設定される、Ｃ２に記載の方法。
［Ｃ５］
前記第１のメッセージは、追跡エリア更新要求メッセージを具備し、および
前記第２のメッセージは、追跡エリア更新承認メッセージまたは追跡エリア拒絶メッセージを具備する、Ｃ２に記載の方法。
［Ｃ６］
前記第２のメッセージは、ネットワークノードに送信され、および前記クローズド加入者グループにアクセスするために前記アクセス端末をプロビジョニングせよとの要求を具備する、Ｃ１に記載の方法。
［Ｃ７］
前記ネットワークノードは、パケットゲートウェイまたはプロビジョニング・エンティティを具備する、Ｃ６に記載の方法。
［Ｃ８］
前記アクセス端末がプロビジョニングされる必要があるかどうかの前記決定は、前記第１のメッセージを通して受信される表示に基づく、Ｃ１に記載の方法。
［Ｃ９］
前記受信された表示は、パケットデータネットワークタイプ、パケットデータネットワーク名、またはアクセスポイント名を具備する、Ｃ８に記載の方法。
［Ｃ１０］
前記アクセス端末がプロビジョニングされる必要かあるかどうかの前記決定は、アクセス端末プロファイルまたはネットワークプロファイルに基づく、Ｃ１に記載の方法。
［Ｃ１１］
前記アクセス端末がプロビジョニングされる必要があるかどうかの前記決定は、前記クローズド加入者グループが帯域内プロビジョニングを許可するかどうかに基づく、Ｃ１に記載の方法。
［Ｃ１２］
前記アクセス端末がプロビジョニングされる必要があるかどうかの前記決定は、前記アクセスポイントが帯域内プロビジョニングを許可するかどうかに基づく、Ｃ１に記載の方法。
［Ｃ１３］
前記クローズド加入者グループにアクセスするために前記アクセス端末がプロビジョニングされていることの表示を受信すること、および
前記表示の前記受信の結果として前記アクセス端末に第３のメッセージを送信すること、ここにおいて、前記第３のメッセージは、前記アクセス端末が、前記クローズド加入者グループにアクセスするためにプロビジョニングされていることを示す、
をさらに具備する、Ｃ１に記載の方法。
［Ｃ１４］
前記アクセス端末の前記プロビジョニングは、パケットデータネットワークへの接続を提供することまたは既存のパケットデータネットワーク接続上で前記アクセス端末のためのより高いレベルのサービス品質を提供することを伴う、Ｃ１に記載の方法。
［Ｃ１５］
前記アクセスポイントは、ホームeノードBを具備する、Ｃ１に記載の方法。
［Ｃ１６］
通信のための装置であって、
アクセス端末がクローズド加入者グループのアクセスポイントへの接続を要求していることを示す第１のメッセージを受信するように構成されている通信コントローラと、および
前記アクセス端末が前記クローズド加入者グループのメンバーではないことを決定するように構成され、および前記アクセス端末が前記クローズド加入者グループのメンバーではないことの前記決定の結果として、前記クローズド加入者グループにアクセスするために前記アクセス端末がプロビジョニングされる必要があるかどうかを決定するようにさらに構成されるプロビジョニング・コントローラと
を具備する装置であって、
前記通信コントローラは、前記アクセス端末がプロビジョニングされる必要があるかどうかの前記決定に基づいて第２のメッセージを送信するように構成される、装置。
［Ｃ１７］
前記第２のメッセージは、前記アクセス端末に送信され、および前記クローズド加入者グループにアクセスするために前記アクセス端末がプロビジョニングされる必要があることを示す、Ｃ１６に記載の装置。
［Ｃ１８］
前記第２のメッセージは、前記アクセス端末をプロビジョニングするために使用されるユニフォーム・リソース・ロケーターを具備する、Ｃ１７に記載の装置。
［Ｃ１９］
前記第２のメッセージは、ネットワークノードに送信され、および前記クローズド加入者グループにアクセスするために前記アクセス端末をプロビジョニングせよとの要求を具備する、Ｃ１６に記載の装置。
［Ｃ２０］
前記アクセス端末がプロビジョニングされる必要があるかどうかの前記決定は、前記第１のメッセージを通して受信される表示に基づき、および
前記受信された表示は、パケットデータネットワークタイプ、パケットデータネットワーク名、またはアクセスポイント名を具備する、Ｃ１６に記載の装置。
［Ｃ２１］
通信のための装置であって、
アクセス端末が、クローズド加入者グループのアクセスポイントへの接続を要求していることを示す第１のメッセージを受信するための手段と、
前記アクセス端末が前記クローズド加入者グループのメンバーではないことを決定するための手段と、
前記アクセス端末が前記クローズド加入者グループのメンバーではないことの前記決定の結果として、前記クローズド加入者グループにアクセスするために前記アクセス端末がプロビジョニングされる必要があるかどうかを決定するための手段と、および
前記アクセス端末がプロビジョニングされる必要があるかどうかの前記決定に基づいて第２のメッセージを送信するための手段と
を具備する装置。
［Ｃ２２］
前記第２のメッセージは、前記アクセス端末に送信され、および前記クローズド加入者グループにアクセスするために前記アクセス端末がプロビジョニングされる必要があることを示す、Ｃ２１に記載の装置。
［Ｃ２３］
前記第２のメッセージは、前記アクセス端末をプロビジョニングするために使用されるユニフォーム・リソース・ロケーターを具備する、Ｃ２２に記載の装置。
［Ｃ２４］
前記第２のメッセージは、ネットワークノードに送信され、および前記クローズド加入者グループにアクセスするために前記アクセス端末をプロビジョニングせよとの要求を具備する、Ｃ２１に記載の装置。
［Ｃ２５］
前記アクセス端末がプロビジョニングされる必要があるかどうかの前記決定は、前記第１のメッセージを通して受信される表示に基づき、および
前記受信された表示は、パケットデータネットワークタイプ、パケットデータネットワーク名、またはアクセスポイント名を具備する、Ｃ２１に記載の装置。
［Ｃ２６］
コンピュータプログラムプロダクトであって、
アクセス端末が、クローズド加入者グループのアクセスポイントへの接続を要求していることを示す第１のメッセージを受信することと、
前記アクセス端末が、前記クローズド加入者グループのメンバーではないことを決定することと、
前記アクセス端末が、前記クローズド加入者グループのメンバーではないことの前記決定の結果として、前記クローズド加入者グループにアクセスするために前記アクセス端末がプロビジョニングされる必要があるかどうかを決定することと、および
前記アクセス端末がプロビジョニングされる必要があるかどうかの前記決定に基づいて第２のメッセージを送信することと
をコンピュータにさせるためのコードを具備するコンピュータ可読媒体を具備するコンピュータプログラムプロダクト。
［Ｃ２７］
前記第２のメッセージは、前記アクセス端末に送信され、および前記クローズド加入者グループにアクセスするために前記アクセス端末がプロビジョニングされる必要があることを示す、Ｃ２６に記載のコンピュータプログラムプロダクト。
［Ｃ２８］
前記第２のメッセージは、前記アクセス端末をプロビジョニングするために使用されるユニフォーム・リソース・ロケーターを具備する、Ｃ２７に記載のコンピュータプログラムプロダクト。
［Ｃ２９］
前記第２のメッセージは、ネットワークノードへ送信され、および前記クローズド加入者グループにアクセスするために前記アクセス端末をプロビジョニングせよとの要求を具備する、Ｃ２６に記載のコンピュータプログラムプロダクト。
［Ｃ３０］
前記アクセス端末がプロビジョニングされる必要があるかどうかの前記決定は、前記第１のメッセージを通して受信される表示に基づき、および
前記受信された表示は、パケットデータネットワークタイプ、パケットデータネットワーク名、またはアクセスポイント名を具備する、Ｃ２６に記載のコンピュータプログラムプロダクト。
［Ｃ３１］
通信の方法であって、
クローズド加入者グループにアクセスするためにアクセス端末がプロビジョニングされる必要があることの表示を受信することと、および
前記アクセス端末のためのプロビジョニング接続を確立することと、ここにおいて、前記プロビジョニング接続は、前記クローズド加入者グループにアクセスするために前記アクセス端末がプロビジョニングされることを許可するインターネットプロトコルネットワークへの接続性を確立する、
を具備する方法。
［Ｃ３２］
前記プロビジョニング接続は、プロビジョニング・エンティティのみへの前記アクセス端末のための接続を提供する、Ｃ３１に記載の方法。
［Ｃ３３］
前記プロビジョニング接続を通して前記アクセス端末から前記プロビジョニング・エンティティへプロビジョニング認証情報を転送することをさらに具備する、Ｃ３２に記載の方法。
［Ｃ３４］
前記プロビジョニング・エンティティは、クローズド加入者グループ管理サーバまたはウェブサーバを具備する、Ｃ３２に記載の方法。
［Ｃ３５］
前記アクセス端末の前記プロビジョニングは、パケットデータネットワークへの接続を提供すること、または既存のパケットデータネットワーク接続上で前記アクセス端末のためのより高いレベルのサービス品質を提供することを伴う、Ｃ３１に記載の方法。
［Ｃ３６］
前記プロビジョニング接続は、デフォルトベアラを具備する、Ｃ３１に記載の方法。
［Ｃ３７］
前記表示は、前記アクセス端末から受信される、Ｃ３１に記載の方法。
［Ｃ３８］
前記表示は、モビリティ管理エンティティから受信される、Ｃ３１に記載の方法。
［Ｃ３９］
前記プロビジョニング接続が確立された後に、前記アクセス端末が、定義された期間内にプロビジョニングされていない場合、前記プロビジョニング接続を終了することをさらに具備する、Ｃ３１に記載の方法。
［Ｃ４０］
前記プロビジョニング接続は、パケットデータゲートウェイによって確立される、Ｃ３１に記載の方法。
［Ｃ４１］
通信のための装置であって、
クローズド加入者グループにアクセスするためにアクセス端末がプロビジョニングされる必要があることの表示を受信するように構成されている通信コントローラと、および
前記アクセス端末のためのプロビジョニング接続を確立するように構成されているプロビジョニング・コントローラであって、前記プロビジョニング接続は、前記クローズド加入者グループにアクセスするために前記アクセス端末がプロビジョニングされることを許可するインターネットプロトコルネットワークへの接続性を確立する、プロビジョニング・コントローラと
を具備する装置。
［Ｃ４２］
前記プロビジョニング接続は、プロビジョニング・エンティティのみへの前記アクセス端末のための接続を提供する、Ｃ４１に記載の装置。
［Ｃ４３］
前記プロビジョニング・コントローラは、前記プロビジョニング接続を通して前記アクセス端末から前記プロビジョニング・エンティティへプロビジョニング認証情報を転送するようにさらに構成されている、Ｃ４２に記載の装置。
［Ｃ４４］
前記プロビジョニング接続は、デフォルトベアラを具備する、Ｃ４１に記載の装置。
［Ｃ４５］
通信のための装置であって、
クローズド加入者グループにアクセスするためにアクセス端末がプロビジョニングされる必要があることの表示を受信するための手段と、および
前記アクセス端末のためのプロビジョニング接続を確立するための手段であって、前記プロビジョニング接続は、前記クローズド加入者グループにアクセスするために前記アクセス端末がプロビジョニングされることを許可するインターネットプロトコルネットワークへの接続性を確立する、手段と、
を具備する装置。
［Ｃ４６］
前記プロビジョニング接続は、プロビジョニング・エンティティのみへの前記アクセス端末のための接続を提供する、Ｃ４５に記載の装置。
［Ｃ４７］
前記プロビジョニング接続を通して前記アクセス端末から前記プロビジョニング・エンティティへプロビジョニング認証情報を転送するための手段をさらに具備する、Ｃ４６に記載の装置。
［Ｃ４８］
前記プロビジョニング接続は、デフォルトベアラを具備する、Ｃ４５に記載の装置。
［Ｃ４９］
コンピュータプログラムプロダクトであって、
クローズド加入者グループにアクセスするためにアクセス端末がプロビジョニングされる必要があることの表示を受信することと、および
前記アクセス端末のためのプロビジョニング接続を確立することと、ここにおいて、前記プロビジョニング接続は、前記クローズド加入者グループにアクセスするために前記アクセス端末がプロビジョニングされることを許可するインターネットプロトコルネットワークへの接続性を確立する、
をコンピュータにさせるためのコードを具備するコンピュータ可読媒体を具備するコンピュータプログラムプロダクト。
［Ｃ５０］
前記プロビジョニング接続は、プロビジョニング・エンティティのみへの前記アクセス端末のための接続を提供する、Ｃ４９に記載のコンピュータプログラムプロダクト。
［Ｃ５１］
前記コンピュータ可読媒体は、前記プロビジョニング接続を通して前記アクセス端末から前記プロビジョニング・エンティティにプロビジョニング認証情報を転送することを前記コンピュータにさせるためのコードをさらに具備する、Ｃ５０に記載のコンピュータプトグラムプロダクト。
［Ｃ５２］
前記プロビジョニング接続は、デフォルトベアラを具備する、Ｃ４９に記載のコンピュータプログラムプロダクト。
【図１】
0005378542.tif 000002
【図２Ａ】
0005378542.tif 000003
【図２Ｂ】
0005378542.tif 000004
【図２Ｃ】
0005378542.tif 000005
【図３】
0005378542.tif 000006
【図４】
0005378542.tif 000007
【図５】
0005378542.tif 000008
【図６】
0005378542.tif 000009
【図７】
0005378542.tif 000010
【図８】
0005378542.tif 000011
【図９】
0005378542.tif 000012
【図１０】
0005378542.tif 000013
【図１１】
0005378542.tif 000014
【図１２】
0005378542.tif 000015
【図１３】
0005378542.tif 000016